(57)【要約】  本発明の実施例は、干渉抑制、応答メッセージ送信／転送方法、装置、通信デバイスおよびシステムを提供し、被害者基地局から送信された参照信号に、被害者ノード群のルーティング情報に対応するアドレスＩＤが含まれているため、攻撃者基地局が参照信号を傍受すると、攻撃者ノード群は、アドレスＩＤに基づいて被害者ノード群に応答メッセージを送信することができ、被害者ノード群における被害者基地局は、応答メッセージに基づき、攻撃者基地局が該被害者基地局から送信された参照信号を受信したことを確定し、ひいては大気ダクト干渉の抑制の他のフローを続けることができる。
2022501940.tif 000002
【特許請求の範囲】
【請求項１】
アドレスＩＤが担持された参照信号を送信し、前記アドレスＩＤが被害者ノード群のルーティング情報に対応し、前記被害者ノード群に被害者基地局が含まれていることと、
攻撃者ノード群から送信された応答メッセージに基づき、前記攻撃者ノード群に属する攻撃者基地局が前記参照信号を受信したことを確定することと、
前記攻撃者基地局と協働して大気ダクト干渉の抑制を行うことと、を含む、
干渉抑制方法。
【請求項２】
前記アドレスＩＤに前記被害者基地局の基地局ＩＤが含まれ、
攻撃者ノード群から送信された応答メッセージに基づき、攻撃者基地局が前記参照信号を受信したことを確定することは、
前記攻撃者ノード群から送信された応答メッセージを受信し、前記応答メッセージに基づいて前記攻撃者基地局が前記参照信号を受信したことを確定することを含む、
請求項１に記載の方法。
【請求項３】
前記アドレスＩＤに前記被害者ノード群の群ＩＤが含まれ、
攻撃者ノード群から送信された応答メッセージに基づき、攻撃者基地局が前記参照信号を受信したことを確定することは、
前記被害者ノード群の群中心ノードが前記攻撃者ノード群から送信された応答メッセージに基づいて送信した受信通知を受信することと、
前記受信通知に基づいて前記攻撃者基地局が前記参照信号を受信したことを確定することと、を含む、
請求項１に記載の方法。
【請求項４】
前記参照信号に、
アドレスタイプと、
前記被害者基地局のネットワークプロトコルＩＰアドレスと、
被干渉セルのセルＩＤと、
被干渉セルのトラッキングエリア情報ＴＡＩと、
前記被害者基地局のＴＡＩと、
前記被害者基地局の属するノード群のＴＡＩと、
被干渉セルの所属オペレータネットワークと、
前記被害者基地局の所属オペレータネットワークと、
前記被害者基地局の属するノード群の所属オペレータネットワークと、のうちの少なくとも１つが更に含まれている、
請求項１に記載の方法。
【請求項５】
アドレスＩＤが担持された参照信号を送信する前に、
前記被害者基地局が独立して行った干渉検出の結果に基づいて、前記被害者基地局が大気ダクト干渉を受けていることを確定すること、または、
前記被害者ノード群の群中心ノードに前記被害者基地局の干渉検出情報を報告し、前記群中心ノードが前記干渉検出情報に基づいて配信した、前記参照信号の送信を指示するための参照送信指示を受信すること、を更に含む、
請求項１〜４のいずれか１項に記載の方法。
【請求項６】
前記干渉検出情報に、前記被害者基地局の被干渉信号の周波数領域特徴情報と、前記被害者基地局の被干渉時間特徴情報とが含まれている、
請求項５に記載の方法。
【請求項７】
前記干渉検出情報に、前記被害者基地局の周波数情報と、前記被害者基地局の被干渉アンテナ情報との少なくとも１つが更に含まれている、
請求項６に記載の方法。
【請求項８】
前記参照送信指示に、前記参照信号を指示するための情報が含まれている、
請求項５に記載の方法。
【請求項９】
前記参照送信指示に、前記被害者基地局における前記参照信号を送信するセルの指示情報が更に含まれている、
請求項８に記載の方法。
【請求項１０】
前記攻撃者基地局と協働して大気ダクト干渉の抑制を行うことは、
前記攻撃者基地局に、前記攻撃者基地局による大気ダクト干渉の抑制に用いられる干渉補助情報を送信することを含む、
請求項１〜４のいずれか１項に記載の方法。
【請求項１１】
前記干渉補助情報に、
前記被害者基地局の周波数情報と、
前記被害者基地局の被干渉信号の周波数領域特徴情報と、
前記被害者基地局の被干渉時間特徴情報と、
前記被害者基地局の被干渉アンテナ情報と、
前記被害者基地局の大気ダクト干渉の解決ポリシーと、
前記攻撃者基地局が前記被害者基地局を干渉したか否かに関わる情報と、の少なくとも１つが含まれている、
請求項１０に記載の方法。
【請求項１２】
被害者基地局の参照信号を傍受した攻撃者ノード群から送信された応答情報を受信し、前記応答情報に、被害者ノード群のルーティング情報に対応するアドレスＩＤが含まれ、前記攻撃者ノード群に攻撃者基地局が含まれ、前記被害者ノード群に前記被害者基地局が含まれていることと、
予め取得した複数のノード群のアドレスＩＤと前記複数のノード群のルーティング情報との間のマッピング関係に基づき、前記被害者ノード群のアドレスＩＤに対応するルーティング情報を確定することと、
確定した前記ルーティング情報に基づき、前記応答メッセージを前記被害者ノード群に送信することと、を含む、
応答メッセージ転送方法。
【請求項１３】
前記アドレスＩＤに前記被害者ノード群の群ＩＤが含まれている、
請求項１２に記載の方法。
【請求項１４】
被害者基地局の参照信号を傍受した前記攻撃者ノード群から送信された応答情報を受信する前に、
前記被害者ノード群側のコアネットワーク要素から前記被害者ノード群のアドレスＩＤとルーティング情報との間のマッピング関係を取得することを更に含む、
請求項１２または１３に記載の方法。
【請求項１５】
参照信号を傍受し、参照信号に、被害者ノード群のルーティング情報に対応するアドレスＩＤが担持され、前記被害者ノード群に被害者基地局が含まれていることと、
前記被害者基地局から送信された参照信号を傍受すると、前記参照信号に担持されたアドレスＩＤに基づき、攻撃者基地局が前記被害者基地局から送信された前記参照信号を傍受したことを表すための応答メッセージを前記被害者ノード群に送信することと、を含む、
応答メッセージ送信方法。
【請求項１６】
前記参照信号に担持されたアドレスＩＤに基づき、前記被害者ノード群に応答メッセージを送信することは、
前記参照信号に担持されたアドレスＩＤに基づき、コアネットワークを介して前記被害者ノード群に応答メッセージを送信すること、または、
前記参照信号に担持されたアドレスＩＤに基づき、基地局間の通信インタフェースを利用して前記被害者ノード群に応答メッセージを送信すること、を含む、
請求項１５に記載の方法。
【請求項１７】
前記アドレスＩＤに前記被害者ノード群の群ＩＤが含まれ、
前記参照信号に担持されたアドレスＩＤに基づき、前記被害者ノード群に応答メッセージを送信する方式は、
ネットワーク管理者またはサーバに照会し、前記群ＩＤに対応する被害者基地局の、前記被害者基地局の基地局ＩＤ、前記被害者基地局のトラッキングエリア情報ＴＡＩ、前記被害者基地局の公衆陸上移動網ＰＬＭＮ情報が含まれているルーティング情報を取得し、前記被害者基地局のルーティング情報に基づいて前記被害者基地局に応答メッセージを送信する方式である方式１と、
コアネットワーク要素によって、予め取得した複数のノード群のアドレスＩＤと前記複数のノード群のルーティング情報との間のマッピング関係に基づいて前記被害者ノード群のルーティング情報を確定するように、前記群ＩＤが担持された応答情報を前記コアネットワーク要素に送信し、確定したルーティング情報に基づいて前記被害者ノード群に前記応答メッセージを送信する方式である方式２と、の少なくとも１種を含む、
請求項１５または１６に記載の方法。
【請求項１８】
前記アドレスＩＤに前記被害者基地局の基地局ＩＤが含まれ、
前記参照信号に担持されたアドレスＩＤに基づき、前記被害者ノード群に応答メッセージを送信することは、
前記基地局ＩＤに基づいて前記被害者ノード群における被害者基地局に応答メッセージを送信することを含む、
請求項１５または１６に記載の方法。
【請求項１９】
前記被害者ノード群の群中心ノードがコアネットワーク要素である場合、前記アドレスＩＤに前記被害者基地局のコアネットワークＩＤが含まれ、前記参照信号に担持されたアドレスＩＤに基づき、前記被害者ノード群に応答メッセージを送信することは、
前記コアネットワークＩＤに基づいて前記被害者ノード群の群中心ノードに応答メッセージを送信することを含む、
請求項１５または１６に記載の方法。
【請求項２０】
攻撃者ノード群の群中心ノードにおける基地局による参照信号の傍受結果を取得し、前記参照信号に、被害者ノード群のルーティング情報に対応するアドレスＩＤが担持され、前記被害者ノード群に被害者基地局が含まれ、前記攻撃者ノード群に攻撃者基地局が含まれていることと、
前記攻撃者基地局が傍受した参照信号に担持されたアドレスＩＤに基づき、前記攻撃者基地局が前記参照信号を傍受したことを前記被害者基地局に指示するための応答メッセージを前記被害者ノード群に送信することと、を含む、
応答メッセージ送信方法。
【請求項２１】
前記攻撃者基地局が傍受した参照信号に担持されたアドレスＩＤに基づき、前記被害者ノード群に応答メッセージを送信することは、
前記アドレスＩＤに基づき、コアネットワークを介して前記被害者ノード群に応答メッセージを送信すること、または、
前記アドレスＩＤに基づき、基地局間の通信インタフェースを利用して前記被害者ノード群に応答メッセージを送信すること、を含む、
請求項２０に記載の方法。
【請求項２２】
前記アドレスＩＤに前記被害者ノード群の群ＩＤが含まれ、
前記攻撃者基地局が傍受した参照信号に担持されたアドレスＩＤに基づき、前記被害者ノード群に応答メッセージを送信する方式は、
ネットワーク管理デバイスまたはサーバに照会し、前記群ＩＤに対応する被害者基地局の、前記被害者基地局の基地局ＩＤ、前記被害者基地局のトラッキングエリア情報ＴＡＩ、前記被害者基地局の公衆陸上移動網ＰＬＭＮ情報が含まれているルーティング情報を取得し、前記被害者基地局のルーティング情報に基づいて前記被害者基地局に応答メッセージを送信する方式である方式１と、
コアネットワーク要素によって、予め取得した複数のノード群のアドレスＩＤと前記複数のノード群のルーティング情報との間のマッピング関係に基づいて前記被害者ノード群のルーティング情報を確定するように、前記群ＩＤが担持された応答情報を前記コアネットワーク要素に送信し、確定したルーティング情報に基づいて前記被害者ノード群に前記応答メッセージを送信する方式である方式２と、の少なくとも１種を含む、
請求項２０または２１に記載の方法。
【請求項２３】
前記アドレスＩＤに前記被害者基地局の基地局ＩＤが含まれ、
前記攻撃者基地局が傍受した参照信号に担持されたアドレスＩＤに基づき、前記被害者ノード群に応答メッセージを送信することは、
前記基地局ＩＤに基づいて前記被害者ノード群における前記被害者基地局に応答メッセージを送信することを含む、
請求項２０または２１に記載の方法。
【請求項２４】
前記被害者ノード群の群中心ノードがコアネットワーク要素である場合、前記アドレスＩＤに前記被害者基地局のコアネットワークＩＤが含まれ、前記攻撃者基地局が傍受した参照信号に担持されたアドレスＩＤに基づき、前記被害者ノード群に応答メッセージを送信することは、
前記コアネットワークＩＤに基づいて前記被害者ノード群の群中心ノードに応答メッセージを送信することを含む、
請求項２０または２１に記載の方法。
【請求項２５】
アドレスＩＤが担持された参照信号を送信し、前記アドレスＩＤが被害者ノード群のルーティング情報に対応し、前記被害者ノード群に被害者基地局が含まれているように構成される参照送信モジュール（１１２）と、
攻撃者ノード群から送信された応答メッセージに基づき、前記攻撃者ノード群に属する攻撃者基地局が前記参照信号を受信したことを確定するように構成される応答確定モジュール（１１４）と、
前記攻撃者基地局と協働して大気ダクト干渉の抑制を行うように構成される干渉制御モジュール（１１６）と、を備える、
干渉抑制装置。
【請求項２６】
前記アドレスＩＤに前記被害者基地局の基地局ＩＤが含まれ、
前記応答確定モジュール（１１４）は、前記攻撃者ノード群から送信された応答メッセージを受信し、前記応答メッセージに基づいて前記攻撃者基地局が前記参照信号を受信したことを確定するように構成される、
請求項２５に記載の装置。
【請求項２７】
前記アドレスＩＤに前記被害者ノード群の群ＩＤが含まれ、
前記応答確定モジュール（１１４）は、前記被害者ノード群の群中心ノードが前記攻撃者ノード群から送信された応答メッセージに基づいて送信した受信通知を受信し、前記受信通知に基づいて前記攻撃者基地局が前記参照信号を受信したことを確定するように構成される、
請求項２５に記載の装置。
【請求項２８】
被害者基地局の参照信号を傍受した攻撃者ノード群から送信された応答情報を受信し、前記応答情報に、被害者ノード群のルーティング情報に対応するアドレスＩＤが含まれ、前記攻撃者ノード群に攻撃者基地局が含まれ、前記被害者ノード群に前記被害者基地局が含まれているように構成される応答受信モジュール（１４２）と、
予め取得した各ノード群のアドレスＩＤと各ノード群のルーティング情報との間のマッピング関係に基づき、前記被害者ノード群のアドレスＩＤに対応するルーティング情報を確定するように構成されるルーティング確定モジュール（１４４）と、
前記ルーティング情報に基づき、前記応答メッセージを前記被害者ノード群に送信するように構成される応答転送モジュール（１４６）と、を備える、
応答メッセージ転送装置。
【請求項２９】
参照信号を傍受し、参照信号に、被害者ノード群のルーティング情報に対応するアドレスＩＤが担持され、前記被害者ノード群に被害者基地局が含まれているように構成される参照傍受モジュール（１２２）と、
前記被害者基地局から送信された参照信号を傍受すると、前記参照信号に担持されたアドレスＩＤに基づき、攻撃者基地局が前記被害者基地局から送信された前記参照信号を傍受したことを表すための応答メッセージを前記被害者ノード群に送信するように構成される応答送信モジュール（１２４）と、を備える、
応答メッセージ送信装置。
【請求項３０】
攻撃者ノード群の群中心ノードにおける基地局による参照信号の傍受結果を取得し、前記参照信号に、被害者ノード群のルーティング情報に対応するアドレスＩＤが担持され、前記被害者ノード群に被害者基地局が含まれ、前記攻撃者ノード群に攻撃者基地局が含まれているように構成される傍受取得モジュール（１３２）と、
攻撃者基地局が傍受した参照信号に担持されたアドレスＩＤに基づき、前記攻撃者基地局が前記参照信号を傍受したことを前記被害者基地局に指示するための応答メッセージを前記被害者ノード群に送信するように構成される応答送信モジュール（１３４）と、を備える、
応答メッセージ送信装置。
【請求項３１】
プロセッサ（１５１）と、メモリ（１５２）と、通信バス（１５３）とを備え、
前記通信バス（１５３）は、前記プロセッサ（１５１）と前記メモリ（１５２）との間の接続通信を実現するように構成され、
前記プロセッサ（１５１）は、前記メモリ（１５２）に記憶された干渉抑制プログラムを実行することにより、請求項１〜１１のいずれか１項に記載の方法を実現するように構成され、または、前記プロセッサ（１５１）は、前記メモリ（１５２）に記憶された応答メッセージ転送プログラムを実行することにより、請求項１２〜１４のいずれか１項に記載の方法を実現するように構成され、または、前記プロセッサ（１５１）は、前記メモリ（１５２）に記憶された第１の応答メッセージ送信プログラムを実行することにより、請求項１５〜１９のいずれか１項に記載の方法を実現するように構成され、または、前記プロセッサ（１５１）は、前記メモリ（１５２）に記憶された第２の応答メッセージ送信プログラムを実行することにより、請求項２０〜２４のいずれか１項に記載の方法を実現するように構成される、通信デバイス。
【請求項３２】
互いに通信可能な被害者ノード群および攻撃者ノード群を備え、前記被害者ノード群に被害者基地局が含まれ、前記攻撃者ノード群に攻撃者基地局が含まれ、前記被害者基地局は、第１のメモリと第１のプロセッサとを備え、前記第１のメモリは、干渉抑制プログラムを記憶するように構成され、前記第１のプロセッサは、前記干渉抑制プログラムを実行することにより、請求項１〜１１のいずれか１項に記載の方法を実現するように構成され、前記攻撃者基地局は、第２のメモリと第２のプロセッサとを備え、前記第２のメモリは、第１の応答メッセージ送信プログラムを記憶するように構成され、前記第２のプロセッサは、前記第１の応答メッセージ送信プログラムを実行することにより、請求項１５〜１９のいずれか１項に記載の方法を実現するように構成される、通信システム。
【発明の詳細な説明】
【技術分野】
【０００１】
本発明は、２０１８年０９月２６日に中国専利局に提出された出願番号が２０１８１１１２６９４２．９である中国特許出願に対して優先権を主張するものであり、該出願の全ての内容を引用により本発明に援用する。
【０００２】
本発明は、通信分野に関し、特に、干渉抑制、応答メッセージ送信／転送方法、装置、通信デバイスおよびシステムに関する。
【背景技術】
【０００３】
大気ダクト現象が発生すると、１つの基地局の下り無線電気信号の伝播できる距離が延長され、且つ、伝播遅延が保護ギャップ（Ｐｒｏｔｅｃｔｉｖｅ  Ｇａｐ、ＧＰ）を超え、別の基地局の上り信号は干渉される。干渉される基地局を被害者基地局（ｖｉｃｔｉｍ  ｎｏｄｅ）と呼び、被害者基地局に干渉を与える基地局を攻撃者基地局（ａｇｇｒｅｓｓｏｒ  ｎｏｄｅ）と呼ぶことができ、大気ダクト干渉を低減または除去するためのいくつかの有効な解決策が差し迫って必要となる。
【発明の概要】
【発明が解決しようとする課題】
【０００４】
本発明の実施は、干渉抑制、応答メッセージ送信／転送方法、装置、通信デバイスおよびシステムを提供する。
【課題を解決するための手段】
【０００５】
本発明の実施例に係る干渉抑制方法は、アドレスＩＤが担持された参照信号を送信し、前記アドレスＩＤが被害者ノード群のルーティング情報に対応し、前記被害者ノード群に被害者基地局が含まれていることと、攻撃者ノード群から送信された応答メッセージに基づき、攻撃者ノード群に属する攻撃者基地局が参照信号を受信したことを確定することと、攻撃者基地局と協働して大気ダクト干渉の抑制を行うこととを含む。
【０００６】
本発明の実施例に係る応答メッセージ転送方法は、被害者基地局の参照信号を傍受した攻撃者ノード群から送信された応答情報を受信し、応答情報に、被害者ノード群のルーティング情報に対応するアドレスＩＤが含まれ、攻撃者ノード群に攻撃者基地局が含まれ、被害者ノード群に被害者基地局が含まれていることと、予め取得した各ノード群のアドレスＩＤと各ノード群のルーティング情報との間のマッピング関係に基づき、被害者ノード群のアドレスＩＤに対応するルーティング情報を確定することと、ルーティング情報に基づき、応答メッセージを被害者ノード群に送信することとを含む。
【０００７】
本発明の実施例に係る応答メッセージ送信方法は、参照信号を傍受し、参照信号に、被害者ノード群のルーティング情報に対応するアドレスＩＤが担持され、被害者ノード群に被害者基地局が含まれていることと、被害者基地局から送信された参照信号を傍受すると、参照信号に担持されたアドレスＩＤに基づき、攻撃者基地局が被害者基地局から送信された参照信号を傍受したことを表すための応答メッセージを被害者ノード群に送信することとを含む。
【０００８】
本発明の実施例に係る別の応答メッセージ送信方法は、攻撃者ノード群の群中心ノードにおける基地局による参照信号の傍受結果を取得し、参照信号に、被害者ノード群のルーティング情報に対応するアドレスＩＤが担持され、被害者ノード群に被害者基地局が含まれ、前記攻撃者ノード群に攻撃者基地局が含まれていることと、攻撃者基地局が傍受した参照信号に担持されたアドレスＩＤに基づき、攻撃者基地局が参照信号を傍受したことを被害者基地局に指示するための応答メッセージを被害者ノード群に送信することとを含む。
【０００９】
本発明の実施例に係る干渉抑制装置は、アドレスＩＤが担持された参照信号を送信するための参照送信モジュールであって、アドレスＩＤが被害者ノード群のルーティング情報に対応し、被害者ノード群に被害者基地局が含まれている参照送信モジュールと、攻撃者ノード群から送信された応答メッセージに基づき、攻撃者ノード群に属する攻撃者基地局が参照信号を受信したことを確定するための応答確定モジュールと、攻撃者基地局と協働して大気ダクト干渉の抑制を行うための干渉制御モジュールとを備える。
【００１０】
本発明の実施例に係る応答メッセージ転送装置は、被害者基地局の参照信号を傍受した攻撃者ノード群から送信された応答情報を受信するための応答受信モジュールであって、応答情報に、被害者ノード群のルーティング情報に対応するアドレスＩＤが含まれ、攻撃者ノード群に攻撃者基地局が含まれ、被害者ノード群に被害者基地局が含まれている応答受信モジュールと、予め取得した各ノード群のアドレスＩＤと各ノード群のルーティング情報との間のマッピング関係に基づき、被害者ノード群のアドレスＩＤに対応するルーティング情報を確定するためのルーティング確定モジュールと、ルーティング情報に基づき、応答メッセージを被害者ノード群に送信するための応答転送モジュールとを備える。
【００１１】
本発明の実施例に係る応答メッセージ送信装置は、参照信号を傍受するための参照傍受モジュールであって、参照信号に、被害者ノード群のルーティング情報に対応するアドレスＩＤが担持され、被害者ノード群に被害者基地局が含まれている参照傍受モジュールと、被害者基地局から送信された参照信号を傍受すると、参照信号に担持されたアドレスＩＤに基づき、攻撃者基地局が被害者基地局から送信された参照信号を傍受したことを表すための応答メッセージを被害者ノード群に送信するための第１の応答送信モジュールとを備える。
【００１２】
本発明の実施例に係る別の応答メッセージ送信装置は、攻撃者ノード群の群中心ノードにおける基地局による参照信号の傍受結果を取得するための傍受取得モジュールであって、前記参照信号に、被害者ノード群のルーティング情報に対応するアドレスＩＤが担持され、前記被害者ノード群に被害者基地局が含まれ、前記攻撃者ノード群に攻撃者基地局が含まれている傍受取得モジュールと、攻撃者基地局が傍受した参照信号担持のアドレスＩＤに基づき、攻撃者基地局が参照信号を傍受到したことを被害者基地局に指示するための応答メッセージを被害者ノード群に送信するための第２の応答送信モジュールとを備える。
【００１３】
本発明の実施例は、プロセッサと、メモリと、通信バスとを備え、通信バスは、プロセッサとメモリとの間の接続通信を実現するために用いられ、プロセッサは、メモリに記憶された干渉抑制プログラムを実行することにより、上記干渉抑制方法のステップを実現するために用いられ、または、プロセッサは、メモリに記憶された応答メッセージ転送プログラムを実行することにより、上記応答メッセージ転送方法のステップを実現するために用いられ、または、プロセッサは、メモリに記憶された第１の応答メッセージ送信プログラムを実行することにより、上記応答メッセージ送信方法のステップを実現するために用いられ、または、プロセッサは、メモリに記憶された第２の応答メッセージ送信プログラムを実行することにより、上記応答メッセージ送信方法のステップを実現するために用いられる通信デバイスを更に提供する。
【００１４】
本発明の実施例は、互いに通信可能な被害者ノード群および攻撃者ノード群を備え、被害者ノード群に被害者基地局が含まれ、攻撃者ノード群に攻撃者基地局が含まれ、被害者基地局は、上記プロセッサによって干渉抑制プログラムを実行可能な通信デバイスであり、攻撃者基地局は、上記プロセッサによって第１の応答メッセージ送信プログラムを実行可能な通信デバイスである通信システムを更に提供する。
【００１５】
本発明の実施例は、干渉抑制プログラム、応答メッセージ転送プログラム、第１の応答メッセージ送信プログラム、および第２の応答メッセージ送信プログラムのうちの少なくとも１つが記憶され、干渉抑制プログラムは、１つまたは複数のプロセッサにより実行されて上記干渉抑制方法のステップを実現することができ、応答メッセージ転送プログラムは、１つまたは複数のプロセッサにより実行されて上記応答メッセージ転送方法のステップを実現することができ、第１の応答メッセージ送信プログラムは、１つまたは複数のプロセッサにより実行されて上記応答メッセージ送信方法のステップを実現することができ、第２の応答メッセージ送信プログラムは、１つまたは複数のプロセッサにより実行されて上記応答メッセージ送信方法のステップを実現することができる記憶媒体を更に提供する。
【発明の効果】
【００１６】
本発明の実施例に係る干渉抑制、メッセージ送信／転送方法、装置、通信デバイスおよびシステムによれば、被害者基地局から送信された参照信号にアドレスＩＤが担持され、該アドレスＩＤは、被害者基地局の属するノード群である被害者ノード群のルーティング情報に対応しているため、攻撃者基地局が被害者基地局から送信された参照信号を傍受すると、攻撃者ノード群は、該アドレスＩＤに基づいて被害者ノード群に応答メッセージを送信することができ、これによって、被害者ノード群における被害者基地局は、応答メッセージに基づき、攻撃者基地局が該被害者基地局から送信された参照信号を受信したことを確定し、ひいては大気ダクト干渉の抑制の他のフローを続けることができる。このようにして、参照信号にアドレスＩＤを担持させる方式により、攻撃者ノード側から被害者ノード側へのメッセージの送信が可能となり、攻撃者基地局側が被害者基地局側にメッセージを送信することで、被害者基地局が攻撃者基地局と協働して大気ダクト干渉の抑制の後続のフローを行い続けることができように、攻撃者基地局が参照信号を傍受したことを被害者基地局に通知し、大気ダクト干渉の抑制の実現に寄与する。
【図面の簡単な説明】
【００１７】
【図１】本発明の実施例１に係る大気ダクト干渉の抑制方法のフローチャートである。
【図２】本発明の実施例１に示すノード群の区分模式図である。
【図３】本発明の実施例１に示すＡＭＦ（Ａｃｃｅｓｓ  Ｍｏｂｉｌｉｔｙ  Ｆｕｎｃｔｉｏｎ、アクセスモビリティ機能）を群中心ノードとした２つのノード群の模式図である。
【図４】本発明の実施例１に示す５Ｇ代理基地局を群中心ノードとした２つのノード群の模式図である。
【図５】本発明の実施例１に示すＣＵ（Ｃｅｎｔｒａｌｉｚｅｄ  Ｕｎｉｔ、集中型ユニット）デバイスを群中心ノードとした２つのノード群の模式図である。
【図６】本発明の実施例１に係る干渉抑制方法のフローチャートである。
【図７】本発明の実施例１に示す総合判定結果に基づいて大気ダクト干渉を受けたことを確定するフローチャートである。
【図８】本発明の実施例２に係る応答メッセージ送信方法のフローチャートである。
【図９】本発明の実施例３に係る応答メッセージ送信方法のフローチャートである。
【図１０】本発明の実施例４に係る応答メッセージ転送方法のフローチャートである。
【図１１】本発明の実施例５に係る干渉抑制装置の構造模式図である。
【図１２】本発明の実施例６に係る応答メッセージ送信装置の構造模式図である。
【図１３】本発明の実施例７に係る応答メッセージ送信装置の構造模式図である。
【図１４】本発明の実施例８に係る応答メッセージ転送装置の構造模式図である。
【図１５】本発明の実施例９に係る通信デバイスの構造模式図である。
【図１６】本発明の実施例１０の例５に係る応答情報の伝送形態のフローチャートである。
【発明を実施するための形態】
【００１８】
本発明の目的、技術案および利点をより明確にするために、以下、具体的な実施形態および図面を参照しながら、本発明の実施例について更に詳細に説明する。
【実施例１】
【００１９】
いくつかの天候条件で、標高の高い場所における地球の大気の低密度が屈折率を低減させ、信号を地球に向かって曲げる。このような場合、低い屈折率材料の境界で反射および屈折が起こるため、信号は、高屈折率層、即ち、大気の導波管で伝播することができる。このような現象は、大気ダクトと呼ばれ、大気ダクトの伝播モードにおいて、無線電気信号は、減衰が少なく、正常な放射距離よりも遥かに広い範囲で伝播できる。大気ダクト現象は、通常、内陸地域の春夏遷移期や夏秋遷移期、および沿岸地域の冬に発生し、影響する周波数範囲は約０．３ＧＨｚ〜３０ＧＨｚである。
【００２０】
同じ上り・下りリンク伝送方向に設定されたＴＤＤ（Ｔｉｍｅ  Ｄｉｖｉｓｉｏｎ  Ｄｕｐｌｅｘｉｎｇ、時間分割多重）ネットワークにおいて、保護ギャップを用いてクロスリンク干渉を回避する。しかし、大気ダクト現象が発生すると、ある基地局の無線電気信号は、通常の場合よりも長い距離（３００ｋｍに達することができる）を伝播することができ、更に、伝播遅延も保護ギャップを超える。このような現象の持続時間は、数時間または数十時間に達することができ、干渉は該基地局（即ち、攻撃者基地局）の被害者基地局の上りリンク信号から離れ、このような干渉は、「遠隔干渉」と呼ばれる。攻撃者基地局の被害者基地局に対する影響が大きければ大きいほど、被害者基地局の上りリンクの被干渉シンボルは多くなる。このような場合、被害者基地局の通信に長時間の影響を与え、ユーザの通信品質が良くなくなるという問題を回避するために、大気ダクト干渉の抑制を行う必要がある。大気ダクト干渉の問題を解決するために、本実施例は、まず、大気ダクト干渉の抑制形態について説明し、図１に示すフローチャートを参照する。
【００２１】
Ｓ１０２において、被害者基地局は、大気ダクト干渉の存在を発見して確定する。
被害者基地局は、一部の上りリンクの品質が深刻に低下したことを傍受した場合、検出によりその原因が大気ダクト干渉の発生であるか否かを確定することができる。
【００２２】
Ｓ１０４において、被害者基地局は、エアインタフェースを介して参照信号（Ｒｅｆｅｒｅｎｃｅ  Ｓｉｇｎａｌ、ＲＳ）を送信する。
【００２３】
被害者基地局が大気ダクト干渉の存在を確定した場合、エアインタフェースを介してＲＳを送信することができる。
【００２４】
攻撃者基地局は、ＲＳを傍受して現在自分によって干渉された被害者基地局が存在するか否かを確定することができることが理解できる。
【００２５】
Ｓ１０６において、攻撃者基地局は被害者基地局に応答メッセージを送信する。
攻撃者基地局は、ＲＳを傍受すると、該ＲＳを送信した被害者基地局に応答メッセージを送信し、自分が現在送信されたＲＳを検出したことを被害者基地局に知らせることができる。
【００２６】
Ｓ１０８において、被害者基地局は攻撃者基地局に干渉補助情報を提供する。
被害者基地局は、攻撃者基地局の応答メッセージを受信した後、攻撃者基地局が既に自分が送信したＲＳを検出したことを知ることができるため、被害者基地局は、該攻撃者基地局に干渉補助情報を送信することができ、干渉補助情報は、主に、攻撃者基地局が大気ダクト干渉の抑制ポリシーを確定できるように、被害者基地局が大気ダクト干渉を受けている関連状況を攻撃者基地局に知らせる。
【００２７】
Ｓ１１０において、攻撃者基地局は干渉補助情報に基づいて干渉抑制を行う。
攻撃者基地局は、干渉補助情報を受信した後、干渉補助情報に基づいて自分が大気ダクト干渉の抑制ポリシーをどのように行うかを確定し、ひいては大気ダクト干渉の抑制を実現する。
【００２８】
被害者基地局は、攻撃者基地局から送信された応答メッセージを受信した後、ＲＳへの送信を直ちに停止しないことが理解できる。従って、攻撃者基地局は、大気ダクト干渉の抑制を行うとともに、被害者基地局から送信されたＲＳを傍受することもでき、攻撃者基地局が依然としてＲＳを傍受できれば、現在の大気ダクト干渉の抑制が無効であることを意味する。攻撃者基地局が傍受により自分が被害者基地局のＲＳを傍受できないことを確定すれば、現在の大気ダクト干渉の抑制が既に有効になったと判定できる。
【００２９】
Ｓ１１２において、攻撃者基地局は、ＲＳが消えたことを傍受すると、被害者基地局に参照信号消失通知を送信する。
【００３０】
従って、攻撃者基地局はＲＳが消えたことを傍受すると、即ち、攻撃者基地局は自分が被害者基地局から送信されたＲＳを傍受できないことを確定した後、参照信号消失通知を送信して自分が現在ＲＳを検出できないことを被害者基地局に知らせることができる。
【００３１】
Ｓ１１４において、被害者基地局はＲＳの送信を停止する。
被害者基地局は、攻撃者基地局から送信された参照信号消失通知を受信した後、ＲＳの送信を停止することができる。
【００３２】
しかし、攻撃者基地局にとって、被害者基地局から送信されたＲＳがエアインタフェースを介して送信されるため、攻撃者基地局は、被害者基地局から送信されたＲＳを傍受できるが、攻撃者基地局は被害者基地局のルーティングアドレスを確定できず、攻撃者基地局がＳ１０８をどのように実現するかについて、本実施例は、干渉抑制形態を提供し、該干渉抑制方案を説明する前に、まず、「ノード群」の概念について説明する。
【００３３】
本実施例において、１つまたは複数の基地局を１つの群に区分し、「ノード群（Ｓｅｔ）」（または「ノードクラスター（Ｃｌｕｓｔｅｒ）」）と呼ぶことができ、１つのノード群は１つの群中心ノードを有することができ、該ノード群における各基地局はいずれも該群中心ノードに接続できる。本実施例のいくつかの例において、同一のノード群における各基地局は、同一のオペレータネットワークに属してもよいし、同じ共有オペレータに属してもよい。ノード群はオペレータによって区分でき、例えば、オペレータは、履歴データに基づき、頻繁に干渉されるまたは他の基地局を頻繁に干渉する１つまたは複数の基地局を１つのノード群に区分することが理解できる。
【００３４】
図２に示すように、オペレータは、経験データに基づいて異なる群を区分することができる。例えば、群Ｓｅｔ１および群Ｓｅｔ２内の基地局が隣接する位置にあるが、群Ｓｅｔ１および群Ｓｅｔ２における基地局は、同じコアネットワーク要素に接続されていない。従って、これらの基地局は、大気ダクト干渉で特性が一致するが、異なるノード群に区分される。それと同時に、図２にも群Ｓｅｔ３および群Ｓｅｔ４が示され、群Ｓｅｔ３および群Ｓｅｔ４における基地局は互いに隣接するが、この２つのノード群における基地局が異なるオペレータに属するため、２つのノード群に区分される。もちろん、オペレータは隣接する基地局を同じ群内、例えば、図２における群Ｓｅｔ５に配置することもできる。
【００３５】
本実施例のいくつかの例において、同じ基地局の異なるセルが異なる干渉源によって干渉される可能性もあるため、セルの粒度でノード群の区分を行ってもよい。例えば、１つの基地局は数十個のセルを有し、一部のセルは、アンテナ角度等の配置が異なるため、干渉源の方向および距離も異なる可能性があるため、Ｓｅｔを区分する際、セル粒度で区分してもよい。
【００３６】
本実施例において、１回の大気ダクト干渉における被害者基地局の属するノード群を「被害者ノード群」と呼び、攻撃者基地局の属するノード群を「攻撃者ノード群」と呼ぶ。被害者ノード群に１つの群中心ノードが含まれ、攻撃者ノード群に１つの群中心ノードが含まれている。群中心ノードは、コアネットワーク要素、基地局、および集中デバイスＣＵのうちのいずれか１種を含んでもよいが、これらに限定されない。
【００３７】
上述したコアネットワーク要素は、ＡＭＦネットワーク要素、ＭＭＥ（Ｍｏｂｉｌｉｔｙ  Ｍａｎａｇｅｍｅｎｔ  Ｅｎｔｉｔｙ、モビリティ管理エンティティ）ネットワーク要素等の複数種のいずれか１種であってもよく、図３は、コアネットワーク要素ＡＭＦを群中心ノードとした２つのノード群の模式図を示す。ここで、５Ｇ基地局ｇＮＢ  ｍおよびｇＮＢ  ｎは第１のノード群に属し、それらは、ＮＧインタフェースを介して第１のコアネットワーク要素ＡＭＦ３１に接続することができ、ｇＮＢ  ｘ、ｇＮＢ  ｙは第２のノード群に属し、同様に、ＮＧインタフェースを介して第２のノード群の群中心ノードである第２のＡＭＦネットワーク要素３２に接続することもできる。図３は、５Ｇ通信システムでの状況を示し、４Ｇ通信システムの場合、基地局は４Ｇ  Ｓ１インタフェースを介して群中心ノードのコアネットワーク要素に接続することができることが理解できる。図３において、２つのノード群の群中心ノードである第１のＡＭＦネットワーク要素３１と第２のＡＭＦネットワーク要素３２との間は、Ｎ１４インタフェースを介して通信することができる。
【００３８】
図４は、基地局、ｇＮＢ  ｐｒｏｘｙ（５Ｇ代理基地局）を群中心ノードとした１つのノード群の模式図を示し、ここで、ｇＮＢ  ｍおよびｇＮＢ  ｎは第１のノード群に属し、それらは、Ｘｎインタフェースを介して第１のｇＮＢ  ｐｒｏｘｙ４１に接続することができ、ｇＮＢ  ｘおよびｇＮＢ  ｚは第２のノード群に属し、同様に、Ｘｎインタフェースを介して第２のノード群の群中心ノードである第２のｇＮＢ  ｐｒｏｘｙ４２に接続することもできる。２つの群中心ノードである第１のｇＮＢ  ｐｒｏｘｙ４１と第２のｇＮＢ  ｐｒｏｘｙ４２との間は、Ｘｎインタフェースを介して通信することができる。それと同様に、図４は、５Ｇ通信システムでの状況を示し、４Ｇ通信システムの場合、基地局と基地局との間は、Ｘ２インタフェースを介して接続することができる。
【００３９】
ＣＵデバイスおよびそれに接続されたＤＵ（Ｄｉｓｔｒｉｂｕｔｅｄ  Ｕｎｉｔ、分散ユニット）デバイスは、１つの完全な基地局を構成することができ、このような場合、ＣＵデバイスを群中心ノードとすれば、１つの完全な基地局は１つのノード群を構成する。例えば、図５において、第１の基地局は第１のノード群とすることができ、第１の基地局における第１のｇＮＢ  ＣＵデバイス５１は第１のノード群の群中心ノードとすることができる。第２の基地局は第２のノード群とすることができ、第２の基地局における第２のｇＮＢ  ＣＵデバイス５２は第２のノード群の群中心ノードとすることができる。第１のｇＮＢ  ＣＵデバイス５１および第２のｇＮＢ  ＣＵデバイス５２は、第１の基地局と第２の基地局との間のインタフェースＸｎを介して接続して通信することができ、もちろん、４Ｇ基地局の場合は異なり、基地局と基地局との間がＸ２インタフェースを介して接続される。図５において、１つの基地局におけるＤＵデバイスはＦ１インタフェースを介してＣＵデバイスに接続することができる。
【００４０】
ノード群は、１つのＳＥＴ  ＩＤ群ＩＤ（または、Ｃｌｕｓｔｅｒ  ＩＤ  クラスターＩＤ）を有する。ノード群の群ＩＤは、１つのノード群を一意に区分できる１つのバイト長さまたは複数のバイト長さを含んでもよく、群ＩＤは、オペレータによってネットワーク全体で統一的に割り当てられ得ることが理解できる。本実施例のいくつかの例において、大気ダクト干渉の関する範囲が広いことを考慮した上、オペレータを跨ぐ遠距離干渉が発生する可能性があるため、異なるオペレータのノード群間も互いに識別する必要がある可能性があり、従って、これらの例において、ノード群の群ＩＤとオペレータネットワークＩＤとを合わせることにより、グローバル範囲内で１つのノード群を一意に識別する作用を実現することができ、例えば、群ＩＤとＰＬＭＮ（Ｐｕｂｌｉｃ  Ｌａｎｄ  Ｍｏｂｉｌｅ  Ｎｅｔｗｏｒｋ、公衆陸上移動網）とを合わせる。
【００４１】
以下、図６に示すフローチャートを参照しながら、本実施例に係る干渉抑制方法について説明する。
【００４２】
Ｓ６０２において、被害者基地局は、アドレスＩＤが担持された参照信号を送信する。
本実施例において、被害者基地局が現在自分に影響を及ぼす大気ダクト干渉が存在することを確定した場合、参照信号を送信することができ、該参照信号に被害者基地局のルーティング情報に対応するアドレスＩＤが担持され、該アドレスＩＤにより、該参照信号を受信して傍受した攻撃者基地局は被害者ノード群に応答メッセージを送信するチャンスがある。
【００４３】
本実施例のいくつかの例において、該アドレスＩＤは該被害者ノード群の群ＩＤであってもよく、このような場合、被害者ノード群の群ＩＤと被害者ノード群のルーティング情報との対応関係をコアネットワーク要素に予め通知することができ、攻撃者基地局または攻撃者ノード群が参照信号に基づいて応答メッセージを送信する必要がある場合、少なくともコアネットワーク要素の協力で応答メッセージを被害者ノード群に送信することができ、例えば、本実施例の一例において、被害者ノード群のルーティング情報が群中心ノードのルーティング情報であれば、応答メッセージを被害者ノード群における群中心ノードに送信することができ、このように、被害者ノード群の群中心ノードは、攻撃者ノード群が応答メッセージを送信した情報を被害者基地局に通知することができる。本実施例の別の例において、被害者ノード群のルーティング情報は、該ノード群におけるある基地局のルーティング情報を指してもよい。
【００４４】
別の例において、被害者ノード群の群ＩＤと被害者ノード群のルーティング情報との対応関係をネットワーク管理者またはＤＮＳ（Ｄｏｍａｉｎ  Ｎａｍｅ  Ｓｙｓｔｅｍ、ドメインネームシステム）サーバに記憶してもよく、このように、攻撃者ノード群は、応答メッセージを送信する必要がある場合、少なくともネットワーク管理者またはＤＮＳサーバに記憶されたマッピング関係に基づいて被害者ノード群のルーティング情報を取得することができ、参照信号に対応する応答メッセージを被害者ノード群に送信し、例えば、被害者ノード群の群中心ノードに送信し、その後、群中心ノードは、攻撃者基地局の応答メッセージの送信状況を被害者基地局に通知する。
【００４５】
本実施例のいくつかの例において、ノード群の群中心ノードがコアネットワーク要素である場合、アドレスＩＤはコアネットワークのコアネットワークＩＤであってもよいことが理解できる。
【００４６】
本実施例の更なる例において、参照信号に担持されたアドレスＩＤは、該被害者基地局の関連情報、例えば、直接該被害者基地局の基地局ＩＤであってもよい。このような場合、攻撃者ノード群は、参照信号を受信した後、直接参照信号における基地局ＩＤに基づいて応答メッセージを被害者基地局自体に送信することができる。
【００４７】
本実施例のいくつかの例において、参照信号に担持された情報はアドレスＩＤだけではなく、例えば、一部の例において、参照信号には、
１）アドレスタイプと、２）被害者基地局のネットワークプロトコル（Ｉｎｔｅｒｎｅｔ  Ｐｒｏｔｏｃｏｌ、ＩＰ）アドレスと、３）被干渉セルのセルＩＤと、４）被干渉セルのトラッキングエリア情報（Ｔｒａｃｋｉｎｇ  Ａｒｅａ  Ｉｄｅｎｔｉｔｙ、ＴＡＩ）と、５）本基地局（即ち、被害者基地局）のＴＡＩと、６）被害者基地局の属するノード群のＴＡＩ、被干渉セルの所属オペレータネットワークと、７）被害者基地局の所属オペレータネットワークと、８）被害者基地局の属するノード群（即ち、被害者ノード群）の所属オペレータネットワークと、
のいくつかの情報のうちの少なくとも１種が更に含まれる。
【００４８】
被害者基地局が参照信号を送信することは、自分が大気ダクト干渉の影響を受けていることを確定した後であり、被害者基地局が大気ダクト干渉を受けているか否かを確定するために、本実施例は、以下の２種の確定方式を提供し、被害者基地局は、この２種の方式のうちの少なくとも１種に従って確定することができる。
【００４９】
方式１：被害者基地局は、本基地局が独立して行った干渉検出の結果に基づいて、本基地局が大気ダクト干渉を受けていることを確定する。
【００５０】
基地局は、自分が大気ダクト干渉を受けていることを確定していない前に、被害者基地局と呼ぶことができないが、既に被害者基地局として確定された基地局は、大気ダクト干渉の検出を必ず行うことが理解できる。方式１において、後で自分が被害者基地局であることを確定した基地局を含む基地局は、自分が大気ダクト干渉を受けているか否かを独立して確定することができ、例えば、本基地局セル内の上り信号を測定することにより大気ダクト干渉の現象が発生したか否かを判断する。
【００５１】
方式２：被害者基地局は、被害者ノード群の総合判定結果に基づいて本基地局が大気ダクト干渉を受けていることを確定し、図７を参照する。
【００５２】
Ｓ７０２：基地局は、本基地局の属するノード群の群中心ノードに本基地局の干渉検出情報を報告する。
【００５３】
基地局は、大気ダクト干渉の検出を行う時、初歩的な判断を行うことができ、例えば、検出結果に基づいて自分が大気ダクト干渉を受けているという初歩的な判定を確定できることが理解できる。干渉検出情報には、本基地局の被干渉信号の周波数領域特徴情報および本基地局の被干渉時間特徴情報が含まれてもよい。例えば、本基地局の被干渉信号の周波数領域特徴情報は、基地局の干渉信号の周波数領域の特徴が階段型フェージング特徴であることを表すことができる。本実施例の別の例において、干渉検出情報に、本基地局の周波数情報と、本基地局の被干渉アンテナ情報との少なくとも１つが更に含まれている。本基地局の被干渉アンテナ情報は、アンテナの方向、高さ等の情報を含んでもよい。いくつかの例において、干渉検出情報に、本基地局の被干渉信号の周波数領域特徴情報、時間特徴の情報、および本基地局の周波数情報、被干渉アンテナ情報の検出情報が同時に含まれている。
【００５４】
Ｓ７０４において、群中心ノードは、本ノード群における基地局が報告した干渉検出情報に基づいて干渉処理ポリシーを確定する。
【００５５】
群中心ノードは、本ノード群における各基地局が報告した干渉検出情報を取得し、これらの干渉検出情報を統合して本ノード群の大気ダクト干渉を受けた最終的な決定を作成することができる。例えば、群中心ノードは、各基地局が報告した干渉検出情報を比較することにより、少数の基地局だけが干渉を報告したか、ほとんどの基地局が全て干渉を受けているかを確定する。
【００５６】
例えば、１つ、２つの基地局だけが干渉を報告し、且つ干渉信号の周波数領域の特徴が異なる場合、群中心ノードは、現在の干渉処理ポリシーが各基地局の自己調整を主とし、被干渉基地局に電力、上り時間領域リソース等を調整させることにより大気ダクト干渉を回避することであることを確定できる。
【００５７】
ノード群内の干渉を報告した基地局が所定の数を超え、大部分の基地局が干渉を報告し、且つ、例えば、干渉信号の周波数領域の特徴がほぼ一致している場合、リモート干渉源を探して大気ダクト干渉の問題を解決することを考慮する必要がある。このような場合、群中心ノードは、参照信号を送信するようにある基地局またはある基地局のあるセルに指示し、対応する攻撃者基地局の補助で大気ダクト干渉の抑制を行う必要がある可能性がある。
【００５８】
Ｓ７０６において、群中心ノードは、干渉処理ポリシーに基づいて本ノード群内の基地局に処理指示を送信する。
【００５９】
群中心ノードが最終的に確定した干渉処理ポリシーは、自己調整の方式で大気ダクト干渉を回避するか、干渉源の補助を求めることで大気ダクト干渉を制御するかにかかわらず、群中心ノードは、いずれも本ノード群の基地局に処理指示を送信する必要がある。しかし、群中心ノードが確定した干渉処理ポリシーが前者である場合、群中心ノードが送信する処理指示は、調整するように基地局または基地局におけるセルに指示する自己調整指示である。群中心ノードが確定した干渉処理ポリシーが後者である場合、群中心ノードが送信する処理指示は、参照信号を送信するように基地局に指示するための参照送信指示である。
【００６０】
本実施例のいくつかの例において、参照送信指示は参照信号を指示するための情報を含み、該情報は、本ノード群が参照信号を送信する時にどのような形態の参照信号を送信するかを基地局または基地局のセルに指示し、即ち、本ノード群が送信する参照信号の構造内容等を指示するために用いられる。本実施例の別の例において、参照送信指示に他の情報が更に含まれ、例えば、参照信号を送信する必要がある基地局の場合、参照送信指示に、該基地局の参照信号を送信する必要があるセルの指示情報が更に含まれている。
【００６１】
ある基地局には、参照信号を送信する、即ち、上記第２種の干渉処理ポリシーで大気ダクト干渉の抑制を行う必要がある一部のセルが存在する可能性があるため、群中心ノードは、該基地局に参照送信指示を送信する必要があるが、それと同時に、該基地局には、第１種の処理ポリシーで大気ダクト干渉を回避する必要がある別の一部のセルも存在するため、群中心ノードは、該基地局に自己調整指示を送信することが理解できる。このような場合、参照送信指示と自己調整指示とを共に該基地局に送信してもよく、対応する処理指示には、参照信号を指示するための情報、該基地局における参照信号を送信する必要があるセルの指示情報、および該基地局における通信リソースの調整を行う必要があるセルの情報が同時に含まれてもよい。
【００６２】
Ｓ６０４において、被害者基地局は、攻撃者ノード群から送信された応答メッセージに基づいて攻撃者基地局が参照信号を受信したことを確定する。
【００６３】
攻撃者ノード群における被害者基地局から送信された参照信号を傍受したのが攻撃者基地局であるが、被害者ノード群に応答メッセージを送信するのが攻撃者基地局そのものでない可能性があり、例えば、攻撃者ノード群における群中心ノードである可能性があることが理解できる。しかし、全体的には、被害者ノード群が受信した応答メッセージは、攻撃者ノード群から送信される。
【００６４】
攻撃者ノード群から送信された応答メッセージは、主に該ノード群に既に基地局があり、即ち、攻撃者基地局が被害者基地局から送信された参照信号を受信したことを表すため、被害者ノード群が攻撃者ノード群から送信された応答情報を受信すると、被害者基地局は、攻撃者基地局が既に参照信号を受信したことを確定することができる。
【００６５】
被害者基地局から送信された参照信号に担持されたのが被害者ノード群の群ＩＤである場合、被害者ノード群が攻撃者ノード群からの応答メッセージを受信した後、群中心ノードは被害者基地局に本ノード群が既に攻撃者ノード群から送信された応答情報を受信したことを表すための受信通知を送信することができる。被害者ノード群の群中心ノードは、応答メッセージを受信した後、該応答メッセージが本ノード群におけるどの基地局から送信された参照信号に対応するかを確定できない可能性があり、このような場合、群中心ノードは、属するノード群におけるそれぞれの基地局に通知することができることが理解できる。
【００６６】
被害者基地局から送信された参照信号に担持されたアドレスＩＤが自分の基地局ＩＤである場合、被害者基地局は、受信した攻撃者ノード群から送信された応答メッセージにより、攻撃者基地局が既に自分が送信した参照信号を監視したことを確定することができる。
【００６７】
Ｓ６０６において、被害者基地局と攻撃者基地局とが協働して大気ダクト干渉の抑制を行う。
【００６８】
攻撃者基地局は、参照信号を受信したことを確定した後、攻撃者基地局と互いに協働し続けて大気ダクト干渉の抑制を行うことができる。本実施例のいくつかの例において、被害者基地局と攻撃者基地局との間が互いに協働して大気ダクト干渉の抑制を行う過程は、図１におけるＳ１０８〜Ｓ１１４に示すように、具体的な過程は前述した説明を参照し、ここでは説明を省略する。しかし、本実施例の別の例において、被害者基地局は、図１におけるステップに従って行う必要がなく、例えば、被害者基地局は、攻撃者基地局に補助情報を提供した後、更に、本基地局の上りリンクの伝送品質が大気ダクト干渉等を受け続けているか否かを監視する。しかし、通常、被害者基地局は、攻撃者基地局が自分が送信した参照信号を傍受したことを確定した後、いずれも攻撃者基地局に干渉補助情報を送信する。
【００６９】
本実施例のいくつかの例において、被害者基地局が攻撃者基地局に送信する干渉補助情報に、
１）被害者基地局の周波数情報と、２）被害者基地局の被干渉信号の周波数領域特徴情報と、３）被害者基地局の被干渉時間特徴情報と、４）被害者基地局の被干渉アンテナ情報と、５）被害者基地局の大気ダクト干渉の解決ポリシーと、６）攻撃者基地局が被害者基地局を干渉したか否かに関わる情報と、のうちの少なくとも１種が含まれている。
【００７０】
干渉補助情報は、攻撃者基地局が大気ダクト干渉の抑制を行うポリシーを確定することに寄与し、例えば、攻撃者基地局は、干渉補助情報に基づいて自分がどのようにバックオフするかを確定することができ、本基地局の下り信号の被害者基地局側に対する大気ダクト干渉をできるだけ除去する。
【００７１】
本発明の実施例に係る干渉抑制方法において、被害者基地局は大気ダクト干渉を受信した後、送信する参照信号に該基地局のアドレスＩＤが担持され、このように、攻撃者基地局が被害者基地局から送信された参照信号を傍受すると、攻撃者ノード側は、該アドレスＩＤに基づいてメッセージを被害者ノード側にルーティングすることができ、被害者基地局は、自分が送信した参照信号が攻撃者基地局により傍受されたか否かを知り、且つ、攻撃者基地局が参照信号を受信したことを確定した場合、攻撃者基地局と干渉補助情報の送信等のような大気ダクト干渉の抑制の他のフローを行い、大気ダクト干渉の抑制を実現し、本基地局の通信品質が長時間にわたって影響されてユーザーエクスペリエンスを低減させるという問題の発生を回避する。
【実施例２】
【００７２】
本実施例は、前述した実施例を参照しながら大気ダクト干渉の抑制形態における攻撃者ノード側が応答メッセージの送信を行う過程について説明し、図８を参照する。
【００７３】
Ｓ８０２において、攻撃者基地局は参照信号を傍受する。
本実施例の一例において、攻撃者ノード群の群中心ノードは、ネットワーク管理者のメッセージ通知を受信すると、大気ダクト干渉の傍受を行うように群内の基地局に指示することができる。攻撃者基地局は、群中心ノードの傍受指示を受信すると、大気ダクト干渉の傍受を行い、被害者基地局から送信された参照信号を傍受できるか否かを確定する。
【００７４】
本実施例の別の例において、攻撃者ノード群の各基地局は、群中心ノードの通知によるトリガがなくても参照信号の傍受を行うことができる。例えば、被害者基地局は、参照信号を送信する前に、まず、傍受トリガ情報を送信することができ、該傍受トリガ情報は、該信号を受信した基地局をトリガして参照信号の傍受を開始することができる。実際には、被害者基地局は、大気ダクト干渉を受けている時にも攻撃者基地局がどれであるかを正確に確定できないため、干渉検出結果に基づいて攻撃者基地局の本基地局に対する距離および方向を推定してから傍受トリガ情報を送信し、且つ、該傍受トリガ情報が推定された方向および距離に到達できることを確保することで、攻撃者基地局が傍受トリガ情報を受信できることを確保することしかができない。
【００７５】
傍受トリガ情報により攻撃者基地局をトリガして参照信号の傍受を行うという形態において、被害者基地局は、傍受トリガ情報を送信する前に、自分の被干渉周波数領域の特徴、時間領域の特徴、アンテナ角度、履歴データ等の複数の要因に基づいて攻撃者基地局の方位を確定してから傍受トリガ情報を送信することができる。更に、被害者基地局は、傍受トリガ情報がネットワークで無制限に伝播できないことを確保する必要があるため、被害者基地局は、傍受トリガ情報においてホップ数を設定することができ、該ホップ数は、該傍受トリガ信号が１つの基地局またはコアネットワーク要素を通過する度に自動的に漸減し、ホップ数の値がゼロに漸減すると、傍受トリガ情報を転送せず、傍受トリガ情報を表示する送信範囲に達する。傍受トリガ情報を受信した基地局は、参照信号の傍受を開始することができ、傍受を開始した後の所定の時間内に参照信号を傍受していない場合、傍受を停止する。所定の時間内に参照信号を傍受した場合、Ｓ８０４を実行する必要もある。
【００７６】
本実施例の一部の例において、傍受トリガ情報には、ホップ数に加え、
１）被害者基地局の周波数情報と、２）被害者基地局の被干渉信号の周波数領域特徴情報と、３）被害者基地局の被干渉時間特徴情報と、４）被害者基地局の被干渉アンテナ情報と、５）被害者基地局の大気ダクト干渉の解決ポリシーと、６）デバイスＩＤおよび／またはＩＰアドレスのような被害者基地局のデバイス情報と、７）送信時間周波数情報、参照信号の符号化情報等のような被害者基地局の参照情報を送信する設定情報と、
のいくつかの情報のうちの少なくとも１種が更に含まれる。
【００７７】
Ｓ８０４において、被害者基地局から送信された参照信号を傍受すると、攻撃者基地局は、参照信号に担持されたアドレスＩＤに基づき、被害者ノード群に応答メッセージを送信する。
【００７８】
本実施例のいくつかの例において、攻撃者基地局が被害者基地局から送信された参照信号を傍受した場合、該攻撃者基地局は、該参照信号に担持されたアドレスＩＤを取得することができ、該アドレスＩＤが、該被害者基地局の属するノード群である被害者ノード群のルーティング情報に対応するため、攻撃者基地局は該アドレスＩＤに基づいて被害者ノード群に応答メッセージをルーティングすることができ、該応答メッセージの役割は、送信した参照信号が既に攻撃者基地局により傍受されたことを被害者基地局に知らせることである。
【００７９】
本実施例のいくつかの例において、攻撃者基地局は、被害者基地局から送信された参照信号を傍受すると、直接被害者ノード群に応答メッセージを送信せず、まず、自分の傍受結果を本基地局の属するノード群である攻撃者ノード群の群中心ノードに送信し、群中心ノードは、攻撃者ノード群内の基地局から取得された傍受結果に基づいて被害者基地局の方位等を確定してから応答メッセージを送信することができる。本実施例のいくつかの例において、攻撃者基地局が群中心ノードに報告した傍受結果には、攻撃者デバイスが受信した参照信号の関連情報、例えば、該参照信号を受信した時間周波数位置、周波数オフセット、シーケンス情報等のいくつかのうちの少なくとも１種が含まれている。本実施例の別の例において、攻撃者基地局が報告した傍受結果は、ＴＤＤ（Ｔｉｍｅ  Ｄｉｖｉｓｉｏｎ  Ｄｕｐｌｅｘｉｎｇ、時間分割多重）システムの上り・下りサブフレーム構成のような攻撃者基地局の無線時間領域リソース構成を更に含んでもよい。または、攻撃者基地局が報告した傍受結果は、アンテナの方向、高さ等のような攻撃者基地局のアンテナの情報を更に含んでもよい。
【００８０】
本実施例において、攻撃者基地局は、コアネットワークを介して被害者ノード群に応答メッセージを送信し、コアネットワークにより応答メッセージを被害者ノード群に転送することができる。このような場合、応答メッセージの伝送は、１）Ｓ１インタフェースまたはＮＧインタフェース、および２）Ｓ１０インタフェースのようなコアネットワーク要素間のインタフェースを使用する可能性がある。本実施例の別の例において、攻撃者基地局は、基地局間の通信インタフェースを利用して被害者ノード群に応答メッセージを送信することができる。このような場合、応答メッセージの伝送は、Ｓ１インタフェースまたはＮＧインタフェースを使用する可能性がある。
【００８１】
前述した説明から分かるように、参照信号に担持されたアドレスＩＤは被害者ノード群の群ＩＤである可能性があり、このような場合、応答メッセージを送信する時、予め確定された各ノード群の群ＩＤとルーティング情報との間のマッピング関係を使用する。実施例１の説明を参照し、該マッピング関係は、コアネットワーク要素に記憶されてもよいし、ネットワーク管理者またはサーバ（例えば、ＤＮＳサーバ）に記憶されてもよい。
【００８２】
マッピング関係がコアネットワーク要素に記憶されている場合、攻撃者基地局は、応答メッセージを送信する時、群ＩＤを直接応答メッセージに担持して該応答メッセージをコアネットワーク要素に送信することができる。該コアネットワーク要素は、攻撃者ノード群側のコアネットワーク要素を指すことが理解できる。コアネットワーク要素は、応答メッセージを受信した後、予め取得したマッピング関係を照会して該群ＩＤに対応するルーティング情報を確定し、その後、該ルーティング情報に基づいて被害者ノード群に応答メッセージを送信し、例えば、対応する群中心ノードに送信することができる。明らかに、このような形態において、攻撃者ノード群側のコアネットワーク要素は、各ノード群の群ＩＤとルーティング情報とのマッピング関係を予め取得する必要があり、少なくとも被害者ノード群の群ＩＤと被害者ノード群のルーティング情報との間のマッピング関係を取得する必要がある。該マッピング関係は、被害者ノード群側のコアネットワーク要素のような他のコアネットワーク要素から取得されたものであってもよいことが理解できる。
【００８３】
マッピング関係がネットワーク管理者またはサーバに記憶されている場合、攻撃者基地局は、応答メッセージを送信する前に、アドレスＩＤに基づいてネットワーク管理者またはサーバに照会して被害者ノード群のルーティング情報を取得し、その後、該ルーティング情報を宛先アドレスとして応答メッセージを送信することができる。例えば、本実施例の一例において、ＤＮＳサーバには、群ＩＤおよび被害者基地局の基地局ＩＤと、被害者基地局のＴＡＩと、被害者基地局の公衆陸上移動網ＰＬＭＮ情報との３者間のマッピング関係が記憶されているため、参照信号から取得された群ＩＤに基づき、攻撃者基地局は被害者基地局の基地局ＩＤ、ＴＡＩ、およびＰＬＭＮ情報を取得することができる。その後、攻撃者基地局は、この３つの情報に基づいて被害者基地局に応答メッセージを送信することができる。
【００８４】
本実施例のいくつかの例において、被害者ノード群の群中心ノードはコアネットワーク要素であってもよく、このような場合、アドレスＩＤは被害者ノード群の群中心ノードのコアネットワークＩＤであってもよい。攻撃者基地局が参照信号を傍受することにより被害者ノード群のコアネットワークＩＤを取得することができるため、応答メッセージを送信する時、攻撃者基地局は、宛先アドレスに被害者ノード群のコアネットワークＩＤを記入することで応答メッセージを被害者ノード群の群中心ノードにルーティングすることができる。
【００８５】
本実施例の別の例において、参照信号に担持されたアドレスＩＤは被害者基地局の基地局ＩＤであってもよく、このような場合、コアネットワーク要素またはネットワーク管理者、サーバにアドレスＩＤとルーティング情報との間のマッピング関係を予め記憶する必要がない可能性がある。攻撃者基地局は、直接参照信号から取得されたアドレスＩＤに基づいて応答メッセージの送信を行うことができ、且つ、該応答メッセージは直接被害者基地局に送信でき、被害者基地局側の群中心ノードに送信してから群中心ノードにより通知する必要がない。
【００８６】
群ＩＤに対し、基地局ＩＤは、攻撃者基地局が応答メッセージを送信することの実現をより簡単にすることができるが、群ＩＤに対し、参照信号における基地局ＩＤが占有するビット数がより多く、例えば、５Ｇ基地局の基地局ＩＤは通常２２〜３２ビットであり、４Ｇマクロ基地局の基地局ＩＤは通常２０ビットであり、４Ｇホーム基地局の基地局ＩＤは通常２８ビットであり、４Ｇショート基地局の基地局ＩＤは通常１８ビットであり、４Ｇロング基地局の基地局ＩＤは通常２１ビットである。
【００８７】
本実施例の一例において、攻撃者基地局が被害者ノード群に送信する応答メッセージには、
１）攻撃者基地局が受信した参照信号の関連情報、例えば、該参照信号を受信した時間周波数位置、周波数オフセット、シーケンス情報等のいくつかのうちの少なくとも１種と、
２）攻撃者基地局の無線時間領域リソース構成、例えば、ＴＤＤシステムの上り・下りサブフレーム構成と、
３）攻撃者基地局のアンテナの情報、例えば、アンテナの方向、高さ等と、
４）攻撃者基地局の大気ダクト干渉を制御するポリシーと、
のうちの１種または複数種の内容が含まれてもよい。
【００８８】
本実施例に係る応答メッセージ送信方法において、攻撃者基地局は、参照信号を傍受することにより、被害者基地局から送信された参照信号を傍受すると、参照信号に担持されたアドレスＩＤに基づき、被害者ノード群に応答メッセージを送信することで攻撃者基地局が参照信号を既に傍受した状況を被害者基地局に知らせ、更に攻撃者基地局側と互いに協働して大気ダクト干渉の抑制を実現し、大気ダクト干渉が被害者基地局に長時間の影響を及ぼして被害者基地局の通信品質が良くなくなるという問題を回避する。
【実施例３】
【００８９】
本実施例は、前述した実施例を参照しながら大気ダクト干渉の抑制形態における攻撃者ノード側が応答メッセージの送信を行う過程について説明し続け、実施例２と異なるのは、本実施例の応答メッセージが攻撃者基地局自体から送信されるのではなく、攻撃者ノード群の群中心ノードから送信されるものであり、図９を参照する。
【００９０】
Ｓ９０２において、群中心ノードは、本ノード群における基地局による参照信号の傍受結果を取得する。
【００９１】
本実施例の一例において、攻撃者ノード群の群中心ノードは、ネットワーク管理者のメッセージ通知を受信すると、大気ダクト干渉の傍受を行うように群内の基地局に指示することができる。攻撃者基地局は、群中心ノードの傍受指示を受信すると、大気ダクト干渉の傍受を行い、傍受結果を群中心ノードに報告する。
【００９２】
本実施例の別の例において、群中心ノードは、属するノード群における各基地局が能動的に報告した傍受結果を受信することができ、このような場合、該群中心ノードの属するノード群における各基地局は、群中心ノードのトリガがなくても参照信号の傍受を行うことができる。例えば、被害者基地局は、参照信号を送信する前に、まず、傍受トリガ情報を送信することができ、該傍受トリガ情報は、該信号を受信した基地局をトリガして参照信号の傍受を開始することができる。実際には、被害者基地局は、大気ダクト干渉を受けている時にも攻撃者基地局がどれであるかを正確に確定できないため、干渉検出結果に基づいて攻撃者基地局の本基地局に対する距離および方向を推定してから傍受トリガ情報を送信し、且つ、該傍受トリガ情報が推定された方向および距離に到達できることを確保することで、攻撃者基地局が傍受トリガ情報を受信できることを確保することしかができない。
【００９３】
傍受トリガ情報により攻撃者基地局をトリガして参照信号の傍受を行うという形態において、被害者基地局は、傍受トリガ情報を送信する前に、自分の被干渉周波数領域の特徴、時間領域の特徴、アンテナ角度、履歴データ等の複数の要因に基づいて攻撃者基地局の方位を確定してから傍受トリガ情報を送信することができる。更に、被害者基地局は、傍受トリガ情報がネットワークで無制限に伝播できないことを確保する必要があるため、被害者基地局は、傍受トリガ情報においてホップ数を設定することができ、該ホップ数は、該傍受トリガ信号が１つの基地局またはコアネットワーク要素を通過する度に自動的に漸減し、ホップ数の値がゼロに漸減すると、傍受トリガ情報を転送せず、傍受トリガ情報を表示する送信範囲に達する。傍受トリガ情報を受信した基地局は、参照信号の傍受を開始することができ、傍受を開始した後の所定の時間内に参照信号を傍受していない場合、傍受を停止する。所定の時間内に参照信号を傍受した場合、自分が攻撃者基地局であり、群中心ノードに自分の傍受結果を報告することができることを意味する。
【００９４】
本実施例の一部の例において、傍受トリガ情報には、ホップ数に加え、
１）被害者基地局の周波数情報と、２）被害者基地局の被干渉信号の周波数領域特徴情報と、３）被害者基地局の被干渉時間特徴情報と、４）被害者基地局の被干渉アンテナ情報と、５）被害者基地局の大気ダクト干渉の解決ポリシーと、６）デバイスＩＤおよび／またはＩＰアドレスのような被害者基地局のデバイス情報と、７）送信時間周波数情報、参照信号の符号化情報等のような被害者基地局の参照情報を送信する設定情報と、
のいくつかの情報のうちの少なくとも１種が更に含まれる。
【００９５】
群中心ノードに傍受結果を報告するのは、攻撃者ノード群における全ての基地局であってもよいし、一部の基地局であってもよいことが理解できる。
【００９６】
Ｓ９０４において、群中心ノードは、攻撃者基地局が傍受した参照信号に担持されたアドレスＩＤに基づき、被害者ノード群に応答メッセージを送信する。
【００９７】
群中心ノードは、攻撃者ノード群内の基地局から取得された傍受結果に基づいて被害者基地局の方位等を確定してから被害者ノード群に応答メッセージを送信することができる。本実施例のいくつかの例において、攻撃者基地局が群中心ノードに報告した傍受結果には、攻撃者デバイスが受信した参照信号の関連情報、例えば、該参照信号を受信した時間周波数位置、周波数オフセット、シーケンス情報等のいくつかのうちの少なくとも１種が含まれている。本実施例の別の例において、攻撃者基地局が報告した傍受結果は、ＴＤＤシステムの上り・下りサブフレーム構成のような攻撃者基地局の無線時間領域リソース構成を更に含んでもよい。または、攻撃者基地局が報告した傍受結果は、アンテナの方向、高さ等のような攻撃者基地局のアンテナの情報を更に含んでもよい。
【００９８】
本実施例において、群中心ノードは、コアネットワークを介して被害者ノード群に応答メッセージを送信し、コアネットワークにより応答メッセージを被害者ノード群に転送することができる。このような場合、応答メッセージの伝送は、１）Ｓ１インタフェースまたはＮＧインタフェース、および２）Ｓ１０インタフェースのようなコアネットワーク要素間のインタフェースを使用する可能性がある。本実施例の別の例において、群中心ノードは、基地局間の通信インタフェースを利用して被害者ノード群に応答メッセージを送信することができる。このような場合、応答メッセージの伝送は、Ｓ１インタフェースまたはＮＧインタフェースを使用する可能性がある。
【００９９】
前述した説明から分かるように、参照信号に担持されたアドレスＩＤは被害者ノード群の群ＩＤである可能性があり、このような場合、応答メッセージを送信する時、予め確定された各ノード群の群ＩＤとルーティング情報との間のマッピング関係を使用する。実施例１の説明を参照し、該マッピング関係は、コアネットワーク要素に記憶されてもよいし、ネットワーク管理者またはサーバ（例えば、ＤＮＳサーバ）に記憶されてもよい。
【０１００】
マッピング関係がコアネットワーク要素に記憶されている場合、群中心ノードは、応答メッセージを送信する時、群ＩＤを直接応答メッセージに担持して該応答メッセージをコアネットワーク要素に送信することができる。該コアネットワーク要素は、攻撃者ノード群側のコアネットワーク要素を指すことが理解できる。コアネットワーク要素は、応答メッセージを受信した後、予め取得したマッピング関係を照会して該群ＩＤに対応するルーティング情報を確定し、その後、該ルーティング情報に基づいて被害者ノード群に応答メッセージを送信し、例えば、対応する群中心ノードに送信することができる。明らかに、このような形態において、攻撃者ノード群側のコアネットワーク要素は、各ノード群の群ＩＤとルーティング情報とのマッピング関係を予め取得する必要があり、少なくとも被害者ノード群の群ＩＤと被害者ノード群のルーティング情報との間のマッピング関係を取得する必要がある。該マッピング関係は、被害者ノード群側のコアネットワーク要素のような他のコアネットワーク要素から取得されたものであってもよいことが理解できる。
【０１０１】
マッピング関係がネットワーク管理者またはサーバに記憶されている場合、群中心ノードは、応答メッセージを送信する前に、アドレスＩＤに基づいてネットワーク管理者またはサーバに照会して被害者ノード群のルーティング情報を取得し、その後、該ルーティング情報を宛先アドレスとして応答メッセージを送信することができる。例えば、本実施例の一例において、ＤＮＳサーバには、群ＩＤおよび被害者基地局の基地局ＩＤと、被害者基地局のＴＡＩと、被害者基地局の公衆陸上移動網ＰＬＭＮ情報との３者間のマッピング関係が記憶されているため、参照信号から取得された群ＩＤに基づき、群中心ノードは被害者基地局の基地局ＩＤ、ＴＡＩ、およびＰＬＭＮ情報を取得することができる。その後、群中心ノードは、この３つの情報に基づいて被害者基地局に応答メッセージを送信することができる。
【０１０２】
本実施例のいくつかの例において、被害者ノード群の群中心ノードはコアネットワーク要素であってもよく、このような場合、アドレスＩＤは被害者ノード群の群中心ノードのコアネットワークＩＤであってもよい。攻撃者ノード群の群中心ノードは、攻撃者基地局が参照信号を傍受することにより被害者ノード群のコアネットワークＩＤを取得することができるため、応答メッセージを送信する時、群中心ノードは、宛先アドレスに被害者ノード群のコアネットワークＩＤを記入することで応答メッセージを被害者ノード群の群中心ノードにルーティングすることができる。
【０１０３】
本実施例の別の例において、参照信号に担持されたアドレスＩＤは被害者基地局の基地局ＩＤであってもよく、このような場合、コアネットワーク要素またはネットワーク管理者、サーバにアドレスＩＤとルーティング情報との間のマッピング関係を予め記憶する必要がない可能性がある。群中心ノードは、直接参照信号から取得されたアドレスＩＤに基づいて応答メッセージの送信を行うことができ、且つ、該応答メッセージは直接被害者基地局に送信でき、被害者基地局側の群中心ノードに送信してから群中心ノードにより通知する必要がない。
【０１０４】
群ＩＤに対し、基地局ＩＤは、群中心ノードが応答メッセージを送信することの実現をより簡単にすることができるが、群ＩＤに対し、参照信号における基地局ＩＤが占有するビット数がより多く、例えば、５Ｇ基地局の基地局ＩＤは通常２２〜３２ビットであり、４Ｇマクロ基地局の基地局ＩＤは通常２０ビットであり、４Ｇホーム基地局の基地局ＩＤは通常２８ビットであり、４Ｇショート基地局の基地局ＩＤは通常１８ビットであり、４Ｇロング基地局の基地局ＩＤは通常２１ビットである。
【０１０５】
本実施例の一例において、群中心ノードが被害者ノード群に送信する応答メッセージには、
１）攻撃者基地局が受信した参照信号の関連情報、例えば、該参照信号を受信した時間周波数位置、周波数オフセット、シーケンス情報等のいくつかのうちの少なくとも１種と、
２）攻撃者基地局の無線時間領域リソース構成、例えば、ＴＤＤシステムの上り・下りサブフレーム構成と、
３）攻撃者基地局のアンテナの情報、例えば、アンテナの方向、高さ等と、
４）攻撃者基地局の大気ダクト干渉を制御するポリシーと、
のうちの１種または複数種の内容が含まれてもよい。
【０１０６】
本実施例に係る応答メッセージ送信方法において、攻撃者基地局は、参照信号を傍受することにより、被害者基地局から送信された参照信号を傍受すると、攻撃者ノード群の群中心ノードが参照信号に担持されたアドレスＩＤに基づき、被害者ノード群に応答メッセージを送信することで攻撃者基地局が参照信号を既に傍受した状況を被害者基地局に知らせ、更に攻撃者基地局側と互いに協働して大気ダクト干渉の抑制を実現し、大気ダクト干渉が被害者基地局に長時間の影響を及ぼして被害者基地局の通信品質が良くなくなるという問題を回避する。
【実施例４】
【０１０７】
前述した実施例２および実施例３において、攻撃者基地局または攻撃者ノード群の群中心ノードが応答メッセージを送信する時に直接応答メッセージにアドレスＩＤを担持し、その後、コアネットワーク要素がマッピング関係に基づいて応答メッセージを被害者ノード群にルーティングする形態、即ち、ノード群のアドレスＩＤとルーティング情報とのマッピング関係をコアネットワーク要素に記憶する時にコアネットワーク要素が応答メッセージを転送する形態について説明し、以下、図１０に示す応答メッセージ転送方法のフローチャートを参照する。
【０１０８】
Ｓ１００２において、コアネットワーク要素は、被害者基地局の参照信号を傍受した攻撃者ノード群から送信された応答情報を受信する。
【０１０９】
本実施例において、マッピング関係がコアネットワーク要素に記憶されている場合、攻撃者ノード群は、応答メッセージを送信する時、群ＩＤを直接応答メッセージに担持して該応答メッセージをコアネットワーク要素に送信することができる。該コアネットワーク要素は、攻撃者ノード群側のコアネットワーク要素を指すことが理解できる。応答メッセージを送信するのは、攻撃者ノード群の群中心ノードまたは攻撃者基地局を指してもよい。
【０１１０】
Ｓ１００４において、コアネットワーク要素は、予め取得した各ノード群のアドレスＩＤと各ノード群のルーティング情報との間のマッピング関係に基づき、被害者ノード群のアドレスＩＤに対応するルーティング情報を確定する。
【０１１１】
コアネットワーク要素は、応答メッセージを受信した後、予め取得したマッピング関係を照会して該群ＩＤに対応するルーティング情報を確定し、その後、該ルーティング情報に基づいて被害者ノード群に応答メッセージを送信することができ、例えば、アドレスＩＤが群ＩＤである場合、コアネットワーク要素は応答メッセージを被害者ノード群に対応する群中心ノードに送信することができる。
【０１１２】
明らかに、このような形態において、攻撃者ノード群側のコアネットワーク要素は、各ノード群の群ＩＤとルーティング情報とのマッピング関係を予め取得する必要があり、少なくとも被害者ノード群の群ＩＤと被害者ノード群のルーティング情報との間のマッピング関係を取得する必要がある。該マッピング関係は、被害者ノード群側のコアネットワーク要素のような他のコアネットワーク要素から取得されたものであってもよいことが理解できる。
【０１１３】
本実施例の一例において、任意のノード群の群中心ノードがコアネットワーク要素である場合、群中心ノードは、該ノード群における各基地局が報告した基地局ＩＤに基づいて本ノード群に対応するルーティング情報を確定することができ、群中心ノードは、本ノード群における任意の基地局のルーティング情報を本ノード群のルーティング情報として選択してもよいし、群中心ノード自体のルーティング情報を本ノード群のルーティング情報としてもよいことが理解できる。その上で、該コアネットワーク要素は本ノード群のアドレスＩＤとルーティング情報との間のマッピング関係を確定することができ、その後、該コアネットワーク要素は、他のコアネットワーク要素とそれぞれが取得したノード群のアドレスＩＤとルーティング情報との間のマッピング関係をインタラクションすることができる。このような方式により、各コアネットワーク要素は相互間のマッピング関係を取得することができる。
【０１１４】
本実施例の別の例において、群中心ノードがコアネットワーク要素ではない場合、群中心ノードは、本ノード群のアドレスＩＤとルーティング情報とのマッピング関係を自分に接続されたコアネットワーク要素に報告し、該コアネットワーク要素で他のコアネットワーク要素とマッピング関係をインタラクションすることで各コアネットワーク要素におけるノード群のマッピング関係を取得する必要がある。
【０１１５】
Ｓ１００６において、コアネットワーク要素は、ルーティング情報に基づいて応答メッセージを被害者ノード群に送信する。
【０１１６】
コアネットワーク要素は、予め取得した各ノード群のアドレスＩＤと各ノード群のルーティング情報との間のマッピング関係に基づき、被害者ノード群のアドレスＩＤに対応するルーティング情報を確定した後、該ルーティング情報に応じて応答メッセージを被害者ノードに転送することができ、コアネットワーク要素における被害者ノード群のアドレスＩＤに対応するのが被害者ノード群におけるある基地局のルーティング情報である可能性があるため、該コアネットワーク要素は、該応答メッセージを該基地局に送信した後、該基地局により応答メッセージを受信した状況を群中心ノードに報告する可能性があり、また、コアネットワーク要素における被害者ノード群のアドレスＩＤに対応するのが被害者ノード群の群中心ノードのルーティング情報である可能性があり、このような場合、コアネットワーク要素は、ルーティング情報に応じて応答メッセージを被害者ノード群の群中心ノードに送信することができることが理解できる。
【０１１７】
本実施例に係る応答メッセージ転送方法は、各ノード群のアドレスＩＤと各ノード群のルーティング情報とのマッピング関係をコアネットワーク要素に予め記憶することにより、攻撃者基地局が被害者基地局から送信された参照信号を傍受すると、攻撃者ノード群は、コアネットワーク要素を介して被害者基地局に応答メッセージをフィードバックすることができる。
【０１１８】
また、ノード群で応答メッセージの送信を行い、このように、被害者基地局は、参照信号を送信する時、参照信号に群ＩＤを担持するだけでよく、基地局ＩＤに対して群ＩＤはより簡単であり、このように、参照信号におけるアドレスＩＤが占めるビット数を減少することができる。
【実施例５】
【０１１９】
本実施例は、干渉抑制装置を提供し、図１１に示すように、該干渉抑制装置１１０は、参照送信モジュール１１２と、応答確定モジュール１１４と、干渉制御モジュール１１６とを備え、ここで、参照送信モジュール１１２は、アドレスＩＤが担持された参照信号を送信するために用いられ、応答確定モジュール１１４は、攻撃者ノード群から送信された応答メッセージに基づいて攻撃者基地局が参照信号を受信したことを確定するために用いられ、干渉制御モジュール１１６は、攻撃者基地局と協働して大気ダクト干渉の抑制を行うために用いられる。
【０１２０】
本実施例において、干渉抑制装置１１０は、被害者ノード群の被害者基地局に配置されてもよく、該被害者基地局は、完全な基地局または基地局におけるＤＵデバイスを指してもよいし、基地局におけるセルを指してもよい。干渉抑制装置１１０における参照送信モジュール１１２、応答確定モジュール１１４および干渉制御モジュール１１６の機能は、いずれも基地局の通信装置およびプロセッサにより共通に実現できる。
【０１２１】
本実施例において、参照送信モジュール１１２が、現在干渉抑制装置１１０に影響を及ぼす大気ダクト干渉が存在することを確定した場合、参照信号を送信することができ、該参照信号に被害者基地局のルーティング情報に対応するアドレスＩＤが担持され、該アドレスＩＤにより、該参照信号を受信して傍受した攻撃者基地局は被害者ノード群に応答メッセージを送信するチャンスがある。
【０１２２】
本実施例のいくつかの例において、該アドレスＩＤは該被害者ノード群の群ＩＤであってもよく、このような場合、被害者ノード群の群ＩＤと被害者ノード群のルーティング情報との対応関係をコアネットワーク要素に予め通知することができ、攻撃者基地局または攻撃者ノード群が参照信号に基づいて応答メッセージを送信する必要がある場合、少なくともコアネットワーク要素の協力で応答メッセージを被害者ノード群に送信することができ、例えば、本実施例の一例において、被害者ノード群のルーティング情報が群中心ノードのルーティング情報であれば、応答メッセージを被害者ノード群における群中心ノードに送信することができ、このように、被害者ノード群の群中心ノードは、攻撃者ノード群が応答メッセージを送信した情報を被害者基地局に通知することができる。本実施例の別の例において、被害者ノード群のルーティング情報は、該ノード群におけるある基地局のルーティング情報を指してもよい。
【０１２３】
別の例において、被害者ノード群の群ＩＤと被害者ノード群のルーティング情報との対応関係をネットワーク管理者またはＤＮＳサーバに記憶してもよく、このように、攻撃者ノード群は、応答メッセージを送信する必要がある場合、少なくともネットワーク管理者またはＤＮＳサーバに記憶されたマッピング関係に基づいて被害者ノード群のルーティング情報を取得することができ、参照信号に対応する応答メッセージを被害者ノード群に送信し、例えば、被害者ノード群の群中心ノードに送信し、その後、群中心ノードは、攻撃者基地局の応答メッセージの送信状況を被害者基地局に通知する。
【０１２４】
本実施例のいくつかの例において、ノード群の群中心ノードがコアネットワーク要素である場合、アドレスＩＤはコアネットワークのコアネットワークＩＤであってもよいことが理解できる。
【０１２５】
本実施例の更なる例において、参照信号に担持されたアドレスＩＤは、該被害者基地局の関連情報、例えば、直接該被害者基地局の基地局ＩＤであってもよい。このような場合、攻撃者ノード群は、参照信号を受信した後、直接参照信号における基地局ＩＤに基づいて応答メッセージを被害者基地局自体に送信することができる。
【０１２６】
本実施例のいくつかの例において、参照信号に担持された情報はアドレスＩＤだけではなく、例えば、一部の例において、参照信号には、
１）アドレスタイプと、２）被害者基地局のＩＰアドレスと、３）被干渉セルのセルＩＤと、４）被干渉セルのトラッキングエリア情報ＴＡＩと、５）本基地局のＴＡＩと、６）被害者基地局の属するノード群のＴＡＩ、被干渉セルの所属オペレータネットワークと、７）被害者基地局の所属オペレータネットワークと、８）被害者基地局の属するノード群である被害者ノード群の所属オペレータネットワークと、
のいくつかの情報のうちの少なくとも１種が更に含まれる。
【０１２７】
参照送信モジュール１１２が参照信号を送信することは、被害者基地局が大気ダクト干渉の影響を受けていることを確定した後であり、被害者基地局が大気ダクト干渉を受けているか否かを確定するために、本実施例は、以下の２種の確定方式を提供し、干渉抑制装置１１０は、この２種の方式のうちの少なくとも１種に従って確定することができる。
【０１２８】
方式１：干渉抑制装置１１０は、基地局が独立して行った干渉検出の結果に基づいて、該基地局が大気ダクト干渉を受けていることを確定する。
【０１２９】
基地局は、自分が大気ダクト干渉を受けていることを確定していない前に、被害者基地局と呼ぶことができないが、既に被害者基地局として確定された基地局は、大気ダクト干渉の検出を必ず行うことが理解できる。方式１において、後で自分が被害者基地局であることを確定した基地局を含む基地局は、自分が大気ダクト干渉を受けているか否かを独立して確定することができ、例えば、干渉抑制装置１１０は、該基地局セル内の上り信号を測定することにより大気ダクト干渉の現象が発生したか否かを判断する。
【０１３０】
方式２：干渉抑制装置１１０は、被害者ノード群の総合判定結果に基づいて本基地局が大気ダクト干渉を受けていることを確定する。
【０１３１】
１つのノード群は、該ノード群内の基地局が群中心ノードに本基地局の干渉検出情報を報告した後、群中心ノードにより、本ノード群における各基地局が報告した干渉検出情報に基づいて干渉処理ポリシーを確定することができる。
【０１３２】
基地局は、大気ダクト干渉の検出を行う時、初歩的な判断を行うことができ、例えば、検出結果に基づいて自分が大気ダクト干渉を受けているという初歩的な判定を確定できることが理解できる。干渉検出情報には、本基地局の被干渉信号の周波数領域特徴情報および本基地局の被干渉時間特徴情報が含まれてもよい。例えば、本基地局の被干渉信号の周波数領域特徴情報は、基地局の干渉信号の周波数領域の特徴が階段型フェージング特徴であることを表すことができる。本実施例の別の例において、干渉検出情報に、本基地局の周波数情報と、本基地局の被干渉アンテナ情報との少なくとも１つを更に含まれている。本基地局の被干渉アンテナ情報は、アンテナの方向、高さ等の情報を含んでもよい。いくつかの例において、干渉検出情報に、本基地局の被干渉信号の周波数領域特徴情報、時間特徴の情報、および本基地局の周波数情報、被干渉アンテナ情報の検出用法が同時に含まれている。
【０１３３】
群中心ノードは、本ノード群における各基地局が報告した干渉検出情報を取得し、これらの干渉検出情報を統合して本ノード群の大気ダクト干渉を受けた最終的な決定を作成することができる。例えば、群中心ノードは、各基地局が報告した干渉検出情報を比較することにより、少数の基地局だけが干渉を報告したか、ほとんどの基地局が全て干渉を受けているかを確定する。
【０１３４】
例えば、１つ、２つの基地局だけが干渉を報告し、且つ干渉信号の周波数領域の特徴が異なる場合、群中心ノードは、現在の干渉処理ポリシーが各基地局の自己調整を主とし、被干渉基地局に電力、上り時間領域リソース等を調整させることにより大気ダクト干渉を回避することであることを確定できる。
【０１３５】
ノード群内の干渉を報告した基地局が所定の数を超え、大部分の基地局が干渉を報告し、且つ、例えば、干渉信号の周波数領域の特徴がほぼ一致している場合、リモート干渉源を探して大気ダクト干渉の問題を解決することを考慮する必要がある。このような場合、群中心ノードは、参照信号を送信するようにある基地局またはある基地局のあるセルに指示し、対応する攻撃者基地局の補助で大気ダクト干渉の抑制を行う必要がある可能性がある。
【０１３６】
群中心ノードが最終的に確定した干渉処理ポリシーは、自己調整の方式で大気ダクト干渉を回避するか、干渉源の補助を求めることで大気ダクト干渉を制御するかにかかわらず、群中心ノードは、いずれも本ノード群の基地局に処理指示を送信する必要がある。しかし、群中心ノードが確定した干渉処理ポリシーが前者である場合、群中心ノードが送信する処理指示は、調整するように基地局または基地局におけるセルに指示する自己調整指示である。群中心ノードが確定した干渉処理ポリシーが後者である場合、群中心ノードが送信する処理指示は、参照信号を送信するように基地局に指示するための参照送信指示である。
【０１３７】
本実施例のいくつかの例において、参照送信指示は参照信号を指示するための情報を含み、該情報は、本ノード群が参照信号を送信する時にどのような形態の参照信号を送信するかを基地局または基地局のセルに指示し、即ち、本ノード群が送信する参照信号の構造内容等を指示するために用いられる。本実施例の別の例において、参照送信指示に他の情報が更に含まれ、例えば、参照信号を送信する必要がある基地局の場合、参照送信指示に、該基地局の参照信号を送信する必要があるセルの指示情報が更に含まれている。
【０１３８】
ある基地局には、参照信号を送信する、即ち、上記第２種の干渉処理ポリシーで大気ダクト干渉の抑制を行う必要がある一部のセルが存在する可能性があるため、群中心ノードは、該基地局に参照送信指示を送信する必要があるが、それと同時に、該基地局には、第１種の処理ポリシーで大気ダクト干渉を回避する必要がある別の一部のセルも存在するため、群中心ノードは、該基地局に自己調整指示を送信することが理解できる。このような場合、参照送信指示と自己調整指示とを共に該基地局に送信してもよく、対応する処理指示には、参照信号を指示するための情報、該基地局における参照信号を送信する必要があるセルの指示情報、および該基地局における通信リソースの調整を行う必要があるセルの情報が同時に含まれてもよい。
【０１３９】
攻撃者ノード群における被害者基地局から送信された参照信号を傍受したのが攻撃者基地局であるが、被害者ノード群に応答メッセージを送信するのが攻撃者基地局そのものでない可能性があり、例えば、攻撃者ノード群における群中心ノードである可能性があることが理解できる。しかし、全体的には、被害者ノード群が受信した応答メッセージは、攻撃者ノード群から送信される。
【０１４０】
攻撃者ノード群から送信された応答メッセージは、主に該ノード群に既に基地局があり、即ち、攻撃者基地局が参照送信モジュール１１２から送信された参照信号を受信したことを表すため、被害者ノード群が攻撃者ノード群から送信された応答情報を受信すると、応答確定モジュール１１４は、攻撃者基地局が既に参照信号を受信したことを確定することができる。
【０１４１】
参照送信モジュール１１２から送信された参照信号に担持されたのが被害者ノード群の群ＩＤである場合、被害者ノード群が攻撃者ノード群からの応答メッセージを受信した後、群中心ノードは干渉抑制装置１１０に本ノード群が既に攻撃者ノード群から送信された応答情報を受信したことを表すための受信通知を送信することができる。被害者ノード群の群中心ノードは、応答メッセージを受信した後、該応答メッセージが本ノード群におけるどの基地局から送信された参照信号に対応するかを確定できない可能性があり、このような場合、群中心ノードは、属するノード群におけるそれぞれの基地局に通知することができることが理解できる。
【０１４２】
参照送信モジュール１１２から送信された参照信号に担持されたアドレスＩＤが自分の基地局ＩＤである場合、応答確定モジュール１１４は、受信した攻撃者ノード群から送信された応答メッセージにより、攻撃者基地局が既に自分が送信した参照信号を監視したことを確定することができる。
【０１４３】
応答確定モジュール１１４は、攻撃者基地局が参照信号を受信したことを確定した後、干渉制御モジュール１１６は、攻撃者基地局と互いに協働し続けて大気ダクト干渉の抑制を行うことができる。本実施例のいくつかの例において、被害者基地局と攻撃者基地局との間が互いに協働して大気ダクト干渉の抑制を行う過程は、図１におけるＳ１０８〜Ｓ１１４に示すように、具体的な過程は前述した説明を参照し、ここでは説明を省略する。しかし、本実施例の別の例において、干渉制御モジュール１１６は、図１におけるステップに従って行う必要がなく、例えば、干渉制御モジュール１１６は、攻撃者基地局に補助情報を提供した後、更に、本基地局の上りリンクの伝送品質が大気ダクト干渉等を受け続けているか否かを監視する。しかし、通常、干渉制御モジュール１１６は、攻撃者基地局が自分が送信した参照信号を傍受したことを確定した後、いずれも攻撃者基地局に干渉補助情報を送信する。
【０１４４】
本実施例のいくつかの例において、干渉制御モジュール１１６が攻撃者基地局に送信する干渉補助情報に、
１）被害者基地局の周波数情報と、２）被害者基地局の被干渉信号の周波数領域特徴情報と、３）被害者基地局の被干渉時間特徴情報と、４）被害者基地局の被干渉アンテナ情報と、５）被害者基地局の大気ダクト干渉の解決ポリシーと、６）攻撃者基地局が被害者基地局を干渉したか否かに関わる情報と、のうちの少なくとも１種が含まれている。
【０１４５】
干渉補助情報は、攻撃者基地局が大気ダクト干渉の抑制を行うポリシーを確定することに寄与し、例えば、攻撃者基地局は、干渉補助情報に基づいて自分がどのようにバックオフするかを確定することができ、本基地局の下り信号の被害者基地局側に対する大気ダクト干渉をできるだけ除去する。
【０１４６】
本発明の実施例に係る干渉抑制装置は、被害者基地局は大気ダクト干渉を受信した後、干渉抑制装置から送信された参照信号に該基地局のアドレスＩＤが担持され、このように、攻撃者基地局が干渉抑制装置から送信された参照信号を傍受すると、攻撃者ノード側は、該アドレスＩＤに基づいてメッセージを被害者ノード側にルーティングすることができ、干渉抑制装置は、自分が送信した参照信号が攻撃者基地局により傍受されたか否かを知り、且つ、攻撃者基地局が参照信号を受信したことを確定した場合、攻撃者基地局と干渉補助情報の送信等のような大気ダクト干渉の抑制の他のフローを行い、大気ダクト干渉の抑制を実現し、本基地局の通信品質が長時間にわたって影響されてユーザーエクスペリエンスを低減させるという問題の発生を回避する。
【実施例６】
【０１４７】
本実施例は、応答メッセージ送信装置を提供し、図１２に示すように、該応答メッセージ送信装置１２０は、参照傍受モジュール１２２と、第１の応答送信モジュール１２４とを備え、ここで、参照傍受モジュール１２２は、参照信号を傍受するために用いられ、第１の応答送信モジュール１２４は、被害者基地局から送信された参照信号を傍受すると、参照信号に担持されたアドレスＩＤに基づき、被害者ノード群に応答メッセージを送信するために用いられる。
【０１４８】
本実施例において、応答メッセージ送信装置１２０は、攻撃者ノード群の攻撃者基地局に配置されてもよく、該攻撃者基地局は、完全な基地局または基地局におけるＤＵデバイスを指してもよい。応答メッセージ送信装置１２０における参照傍受モジュール１２２および第１の応答送信モジュール１２４の機能は、いずれも基地局の通信装置およびプロセッサにより共通に実現できる。
【０１４９】
本実施例の一例において、攻撃者ノード群の群中心ノードは、ネットワーク管理者のメッセージ通知を受信すると、大気ダクト干渉の傍受を行うように群内の基地局に指示することができる。参照傍受モジュール１２２は、群中心ノードの傍受指示を受信すると、大気ダクト干渉の傍受を行い、被害者基地局から送信された参照信号を傍受できるか否かを確定する。
【０１５０】
本実施例の別の例において、攻撃者ノード群の各基地局は、群中心ノードの通知によるトリガがなくても参照信号の傍受を行うことができる。例えば、被害者基地局は、参照信号を送信する前に、まず、傍受トリガ情報を送信することができ、該傍受トリガ情報は、該信号を受信した基地局をトリガして参照信号の傍受を開始することができる。実際には、被害者基地局は、大気ダクト干渉を受けている時にも攻撃者基地局がどれであるかを正確に確定できないため、干渉検出結果に基づいて攻撃者基地局の本基地局に対する距離および方向を推定してから傍受トリガ情報を送信し、且つ、該傍受トリガ情報が推定された方向および距離に到達できることを確保することで、攻撃者基地局に配置された応答メッセージ送信装置１２０の参照傍受モジュール１２２が傍受トリガ情報を受信できることを確保する。
【０１５１】
傍受トリガ情報により参照傍受モジュール１２２をトリガして参照信号の傍受を行うという形態において、被害者基地局は、傍受トリガ情報を送信する前に、自分の被干渉周波数領域の特徴、時間領域の特徴、アンテナ角度、履歴データ等の複数の要因に基づいて攻撃者基地局の方位を確定してから傍受トリガ情報を送信することができる。更に、被害者基地局は、傍受トリガ情報がネットワークで無制限に伝播できないことを確保する必要があるため、被害者基地局は、傍受トリガ情報においてホップ数を設定することができ、該ホップ数は、該傍受トリガ信号が１つの基地局またはコアネットワーク要素を通過する度に自動的に漸減し、ホップ数の値がゼロに漸減すると、傍受トリガ情報を転送せず、傍受トリガ情報を表示する送信範囲に達する。傍受トリガ情報を受信した基地局は、参照信号の傍受を開始することができ、傍受を開始した後の所定の時間内に参照信号を傍受していない場合、傍受を停止する。
【０１５２】
本実施例の一部の例において、傍受トリガ情報には、ホップ数に加え、
１）被害者基地局の周波数情報と、２）被害者基地局の被干渉信号の周波数領域特徴情報と、３）被害者基地局の被干渉時間特徴情報と、４）被害者基地局の被干渉アンテナ情報と、５）被害者基地局の大気ダクト干渉の解決ポリシーと、６）デバイスＩＤおよび／またはＩＰアドレスのような被害者基地局のデバイス情報と、７）送信時間周波数情報、参照信号の符号化情報等のような被害者基地局の参照情報を送信する設定情報と、
のいくつかの情報のうちの少なくとも１種が更に含まれる。
【０１５３】
本実施例のいくつかの例において、参照傍受モジュール１２２が被害者基地局から送信された参照信号を傍受した場合、第１の応答送信モジュール１２４は、該参照信号に担持されたアドレスＩＤを取得することができ、該アドレスＩＤが、該被害者基地局の属するノード群である被害者ノード群のルーティング情報に対応するため、第１の応答送信モジュール１２４は該アドレスＩＤに基づいて被害者ノード群に応答メッセージをルーティングすることができ、該応答メッセージの役割は、送信した参照信号が既に攻撃者基地局により傍受されたことを被害者基地局に知らせることである。
【０１５４】
本実施例のいくつかの例において、参照傍受モジュール１２２が被害者基地局から送信された参照信号を傍受すると、応答メッセージ送信装置１２０は、直接被害者ノード群に応答メッセージを送信せず、まず、参照傍受モジュール１２２の傍受結果を本基地局の属するノード群である攻撃者ノード群の群中心ノードに送信し、群中心ノードは、攻撃者ノード群内の基地局から取得された傍受結果に基づいて被害者基地局の方位等を確定してから応答メッセージを送信することができる。本実施例のいくつかの例において、応答メッセージ送信装置１２０が群中心ノードに報告した傍受結果には、攻撃者デバイスが受信した参照信号の関連情報、例えば、該参照信号を受信した時間周波数位置、周波数オフセット、シーケンス情報等のいくつかのうちの少なくとも１種が含まれている。本実施例の別の例において、応答メッセージ送信装置１２０が報告した傍受結果は、ＴＤＤシステムの上り・下りサブフレーム構成のような攻撃者基地局の無線時間領域リソース構成を更に含んでもよい。または、攻撃者基地局が報告した傍受結果は、アンテナの方向、高さ等のような攻撃者基地局のアンテナの情報を更に含んでもよい。
【０１５５】
本実施例において、第１の応答送信モジュール１２４は、コアネットワークを介して被害者ノード群に応答メッセージを送信し、コアネットワークにより応答メッセージを被害者ノード群に転送することができる。このような場合、応答メッセージの伝送は、１）Ｓ１インタフェースまたはＮＧインタフェース、および２）Ｓ１０インタフェースのようなコアネットワーク要素間のインタフェースを使用する可能性がある。本実施例の別の例において、第１の応答送信モジュール１２４は、基地局間の通信インタフェースを利用して被害者ノード群に応答メッセージを送信することができる。このような場合、応答メッセージの伝送は、Ｓ１インタフェースまたはＮＧインタフェースを使用する可能性がある。
【０１５６】
前述した説明から分かるように、参照信号に担持されたアドレスＩＤは被害者ノード群の群ＩＤである可能性があり、このような場合、応答メッセージを送信する時、予め確定された各ノード群の群ＩＤとルーティング情報との間のマッピング関係を使用する。実施例１の説明を参照し、該マッピング関係は、コアネットワーク要素に記憶されてもよいし、ネットワーク管理者またはサーバ（例えば、ＤＮＳサーバ）に記憶されてもよい。
【０１５７】
マッピング関係がコアネットワーク要素に記憶されている場合、第１の応答送信モジュール１２４は、応答メッセージを送信する時、群ＩＤを直接応答メッセージに担持して該応答メッセージをコアネットワーク要素に送信することができる。該コアネットワーク要素は、攻撃者ノード群側のコアネットワーク要素を指すことが理解できる。コアネットワーク要素は、応答メッセージを受信した後、予め取得したマッピング関係を照会して該群ＩＤに対応するルーティング情報を確定し、その後、該ルーティング情報に基づいて被害者ノード群に応答メッセージを送信し、例えば、対応する群中心ノードに送信することができる。明らかに、このような形態において、攻撃者ノード群側のコアネットワーク要素は、各ノード群の群ＩＤとルーティング情報とのマッピング関係を予め取得する必要があり、少なくとも被害者ノード群の群ＩＤと被害者ノード群のルーティング情報との間のマッピング関係を取得する必要がある。該マッピング関係は、被害者ノード群側のコアネットワーク要素のような他のコアネットワーク要素から取得されたものであってもよいことが理解できる。
【０１５８】
マッピング関係がネットワーク管理者またはサーバに記憶されている場合、第１の応答送信モジュール１２４は、応答メッセージを送信する前に、アドレスＩＤに基づいてネットワーク管理者またはサーバに照会して被害者ノード群のルーティング情報を取得し、その後、該ルーティング情報を宛先アドレスとして応答メッセージを送信することができる。例えば、本実施例の一例において、ＤＮＳサーバには、群ＩＤおよび被害者基地局の基地局ＩＤと、被害者基地局のＴＡＩと、被害者基地局の公衆陸上移動網ＰＬＭＮ情報との３者間のマッピング関係が記憶されているため、参照信号から取得された群ＩＤに基づき、第１の応答送信モジュール１２４は、被害者基地局の基地局ＩＤ、ＴＡＩ、およびＰＬＭＮ情報を取得することができる。その後、第１の応答送信モジュール１２４は、この３つの情報に基づいて被害者基地局に応答メッセージを送信することができる。
【０１５９】
本実施例のいくつかの例において、被害者ノード群の群中心ノードはコアネットワーク要素であってもよく、このような場合、アドレスＩＤは被害者ノード群の群中心ノードのコアネットワークＩＤであってもよい。応答メッセージ送信装置１２０が参照信号を傍受することにより被害者ノード群のコアネットワークＩＤを取得することができるため、応答メッセージを送信する時、第１の応答送信モジュール１２４は、宛先アドレスに被害者ノード群のコアネットワークＩＤを記入することで応答メッセージを被害者ノード群の群中心ノードにルーティングすることができる。
【０１６０】
本実施例の別の例において、参照信号に担持されたアドレスＩＤは被害者基地局の基地局ＩＤであってもよく、このような場合、コアネットワーク要素またはネットワーク管理者、サーバにアドレスＩＤとルーティング情報との間のマッピング関係を予め記憶する必要がない可能性がある。第１の応答送信モジュール１２４は、直接参照信号から取得されたアドレスＩＤに基づいて応答メッセージの送信を行うことができ、且つ、該応答メッセージは直接被害者基地局に送信でき、被害者基地局側の群中心ノードに送信してから群中心ノードにより通知する必要がない。
【０１６１】
群ＩＤに対し、基地局ＩＤは、第１の応答送信モジュール１２４が応答メッセージを送信することの実現をより簡単にすることができるが、群ＩＤに対し、参照信号における基地局ＩＤが占有するビット数がより多く、例えば、５Ｇ基地局の基地局ＩＤは通常２２〜３２ビットであり、４Ｇマクロ基地局の基地局ＩＤは通常２０ビットであり、４Ｇホーム基地局の基地局ＩＤは通常２８ビットであり、４Ｇショート基地局の基地局ＩＤは通常１８ビットであり、４Ｇロング基地局の基地局ＩＤは通常２１ビットである。
【０１６２】
本実施例の一例において、第１の応答送信モジュール１２４が被害者ノード群に送信する応答メッセージには、
１）攻撃者基地局が受信した参照信号の関連情報、例えば、該参照信号を受信した時間周波数位置、周波数オフセット、シーケンス情報等のいくつかのうちの少なくとも１種と、
２）攻撃者基地局の無線時間領域リソース構成、例えば、ＴＤＤシステムの上り・下りサブフレーム構成と、
３）攻撃者基地局のアンテナの情報、例えば、アンテナの方向、高さ等と、
４）攻撃者基地局の大気ダクト干渉を制御するポリシーと、
のうちの１種または複数種の内容が含まれてもよい。
【０１６３】
本実施例に係る応答メッセージ送信装置は、参照信号を傍受することにより、被害者基地局から送信された参照信号を傍受すると、参照信号に担持されたアドレスＩＤに基づき、被害者ノード群に応答メッセージを送信することで攻撃者基地局が参照信号を既に傍受した状況を被害者基地局に知らせ、更に攻撃者基地局側と互いに協働して大気ダクト干渉の抑制を実現し、大気ダクト干渉が被害者基地局に長時間の影響を及ぼして被害者基地局の通信品質が良くなくなるという問題を回避する。
【実施例７】
【０１６４】
本実施例は、応答メッセージ送信装置を提供し、図１３に示すように、該応答メッセージ送信装置１３０は、傍受取得モジュール１３２と、第２の応答送信モジュール１３４とを備え、ここで、傍受取得モジュール１３２は、本群中心ノードにおける各基地局による参照信号の傍受結果を取得するために用いられ、第２の応答送信モジュール１３４は、攻撃者基地局が傍受した参照信号に担持されたアドレスＩＤに基づき、被害者ノード群に応答メッセージを送信するために用いられる。
【０１６５】
本実施例において、応答メッセージ送信装置１３０は、攻撃者ノード群の群中心ノードに配置されてもよく、該群中心ノードは、基地局またはコアネットワーク要素を指してもよく、本実施例のいくつかの例において、該群中心ノードはＣＵデバイスを指してもよい。応答メッセージ送信装置１３０における傍受取得モジュール１３２および第２の応答送信モジュール１３４の機能は、いずれも群中心ノードの通信装置およびプロセッサにより共通に実現できる。
【０１６６】
本実施例の一例において、攻撃者ノード群の群中心ノードは、ネットワーク管理者のメッセージ通知を受信すると、大気ダクト干渉の傍受を行うように群内の基地局に指示することができる。攻撃者基地局は、群中心ノードの傍受指示を受信すると、大気ダクト干渉の傍受を行い、傍受結果を応答メッセージ送信装置１３０の傍受取得モジュール１３２に報告する。
【０１６７】
本実施例の別の例において、傍受取得モジュール１３２は、属するノード群における基地局が能動的に報告した傍受結果を受信することができ、傍受取得モジュール１３２に傍受結果を報告するのは、攻撃者ノード群における全ての基地局であってもよいし、一部の基地局であってもよいことが理解できる。
【０１６８】
基地局が能動的に報告した傍受結果の場合、該群中心ノードの属するノード群における各基地局は、群中心ノードのトリガがなくても参照信号の傍受を行うことができる。例えば、被害者基地局は、参照信号を送信する前に、まず、傍受トリガ情報を送信することができ、該傍受トリガ情報は、該信号を受信した基地局をトリガして参照信号の傍受を開始することができる。実際には、被害者基地局は、大気ダクト干渉を受けている時にも攻撃者基地局がどれであるかを正確に確定できないため、干渉検出結果に基づいて攻撃者基地局の本基地局に対する距離および方向を推定してから傍受トリガ情報を送信し、且つ、該傍受トリガ情報が推定された方向および距離に到達できることを確保することで、攻撃者基地局が傍受トリガ情報を受信できることを確保することしかができない。
【０１６９】
傍受トリガ情報により攻撃者基地局をトリガして参照信号の傍受を行うという形態において、被害者基地局は、傍受トリガ情報を送信する前に、自分の被干渉周波数領域の特徴、時間領域の特徴、アンテナ角度、履歴データ等の複数の要因に基づいて攻撃者基地局の方位を確定してから傍受トリガ情報を送信することができる。更に、被害者基地局は、傍受トリガ情報がネットワークで無制限に伝播できないことを確保する必要があるため、被害者基地局は、傍受トリガ情報においてホップ数を設定することができ、該ホップ数は、該傍受トリガ信号が１つの基地局またはコアネットワーク要素を通過する度に自動的に漸減し、ホップ数の値がゼロに漸減すると、傍受トリガ情報を転送せず、傍受トリガ情報を表示する送信範囲に達する。傍受トリガ情報を受信した基地局は、参照信号の傍受を開始することができ、傍受を開始した後の所定の時間内に参照信号を傍受していない場合、傍受を停止する。所定の時間内に参照信号を傍受した場合、自分が攻撃者基地局であり、傍受取得モジュール１３２に自分の傍受結果を報告することができる。
【０１７０】
本実施例の一部の例において、傍受トリガ情報には、ホップ数に加え、
１）被害者基地局の周波数情報と、２）被害者基地局の被干渉信号の周波数領域特徴情報と、３）被害者基地局の被干渉時間特徴情報と、４）被害者基地局の被干渉アンテナ情報と、５）被害者基地局の大気ダクト干渉の解決ポリシーと、６）デバイスＩＤ（Ｉｄｅｎｔｉｆｉｅｒ、ＩＤ）および／またはＩＰアドレスのような被害者基地局のデバイス情報と、７）送信時間周波数情報、参照信号の符号化情報等のような被害者基地局の参照情報を送信する設定情報と、
のいくつかの情報のうちの少なくとも１種が更に含まれる。
【０１７１】
第２の応答送信モジュール１３４は、攻撃者ノード群内の基地局から取得された傍受結果に基づいて被害者基地局の方位等を確定してから被害者ノード群に応答メッセージを送信することができる。本実施例のいくつかの例において、攻撃者基地局が傍受取得モジュール１３２に報告した傍受結果には、攻撃者デバイスが受信した参照信号の関連情報、例えば、該参照信号を受信した時間周波数位置、周波数オフセット、シーケンス情報等のいくつかのうちの少なくとも１種が含まれている。本実施例の別の例において、攻撃者基地局が報告した傍受結果は、ＴＤＤシステムの上り・下りサブフレーム構成のような攻撃者基地局の無線時間領域リソース構成を更に含んでもよい。または、攻撃者基地局が報告した傍受結果は、アンテナの方向、高さ等のような攻撃者基地局のアンテナの情報を更に含んでもよい。
【０１７２】
本実施例において、第２の応答送信モジュール１３４は、コアネットワークを介して被害者ノード群に応答メッセージを送信し、コアネットワークにより応答メッセージを被害者ノード群に転送することができる。このような場合、応答メッセージの伝送は、１）Ｓ１インタフェースまたはＮＧインタフェース、および２）Ｓ１０インタフェースのようなコアネットワーク要素間のインタフェースを使用する可能性がある。本実施例の別の例において、第２の応答送信モジュール１３４は、基地局間の通信インタフェースを利用して被害者ノード群に応答メッセージを送信することができる。このような場合、応答メッセージの伝送は、Ｓ１インタフェースまたはＮＧインタフェースを使用する可能性がある。
【０１７３】
前述した説明から分かるように、参照信号に担持されたアドレスＩＤは被害者ノード群の群ＩＤである可能性があり、このような場合、応答メッセージを送信する時、予め確定された各ノード群の群ＩＤとルーティング情報との間のマッピング関係を使用する。実施例１の説明を参照し、該マッピング関係は、コアネットワーク要素に記憶されてもよいし、ネットワーク管理者またはサーバ（例えば、ＤＮＳサーバ）に記憶されてもよい。
【０１７４】
マッピング関係がコアネットワーク要素に記憶されている場合、第２の応答送信モジュール１３４は、応答メッセージを送信する時、群ＩＤを直接応答メッセージに担持して該応答メッセージをコアネットワーク要素に送信することができる。該コアネットワーク要素は、攻撃者ノード群側のコアネットワーク要素を指すことが理解できる。コアネットワーク要素は、応答メッセージを受信した後、予め取得したマッピング関係を照会して該群ＩＤに対応するルーティング情報を確定し、その後、該ルーティング情報に基づいて被害者ノード群に応答メッセージを送信し、例えば、対応する群中心ノードに送信することができる。明らかに、このような形態において、攻撃者ノード群側のコアネットワーク要素は、各ノード群の群ＩＤとルーティング情報とのマッピング関係を予め取得する必要があり、少なくとも被害者ノード群の群ＩＤと被害者ノード群のルーティング情報との間のマッピング関係を取得する必要がある。該マッピング関係は、被害者ノード群側のコアネットワーク要素のような他のコアネットワーク要素から取得されたものであってもよいことが理解できる。
【０１７５】
マッピング関係がネットワーク管理者またはサーバに記憶されている場合、第２の応答送信モジュール１３４は、応答メッセージを送信する前に、アドレスＩＤに基づいてネットワーク管理者またはサーバに照会して被害者ノード群のルーティング情報を取得し、その後、該ルーティング情報を宛先アドレスとして応答メッセージを送信することができる。例えば、本実施例の一例において、ＤＮＳサーバには、群ＩＤおよび被害者基地局の基地局ＩＤと、被害者基地局のＴＡＩと、被害者基地局の公衆陸上移動網ＰＬＭＮ情報との３者間のマッピング関係が記憶されているため、参照信号から取得された群ＩＤに基づき、第２の応答送信モジュール１３４は、被害者基地局の基地局ＩＤ、ＴＡＩ、およびＰＬＭＮ情報を取得することができる。その後、第２の応答送信モジュール１３４は、この３つの情報に基づいて被害者基地局に応答メッセージを送信することができる。
【０１７６】
本実施例のいくつかの例において、被害者ノード群の群中心ノードはコアネットワーク要素であってもよく、このような場合、アドレスＩＤは被害者ノード群の群中心ノードのコアネットワークＩＤであってもよい。攻撃者ノード群の群中心ノードは、攻撃者基地局が参照信号を傍受することにより被害者ノード群のコアネットワークＩＤを取得することができるため、応答メッセージを送信する時、第２の応答送信モジュール１３４は、宛先アドレスに被害者ノード群のコアネットワークＩＤを記入することで応答メッセージを被害者ノード群の群中心ノードにルーティングすることができる。
【０１７７】
本実施例の別の例において、参照信号に担持されたアドレスＩＤは被害者基地局の基地局ＩＤであってもよく、このような場合、コアネットワーク要素またはネットワーク管理者、サーバにアドレスＩＤとルーティング情報との間のマッピング関係を予め記憶する必要がない可能性がある。第２の応答送信モジュール１３４は、直接参照信号から取得されたアドレスＩＤに基づいて応答メッセージの送信を行うことができ、且つ、該応答メッセージは直接被害者基地局に送信でき、被害者基地局側の群中心ノードに送信してから群中心ノードにより通知する必要がない。
【０１７８】
群ＩＤに対し、基地局ＩＤは、第２の応答送信モジュール１３４が応答メッセージを送信することの実現をより簡単にすることができるが、群ＩＤに対し、参照信号における基地局ＩＤが占有するビット数がより多く、例えば、５Ｇ基地局の基地局ＩＤは通常２２〜３２ビットであり、４Ｇマクロ基地局の基地局ＩＤは通常２０ビットであり、４Ｇホーム基地局の基地局ＩＤは通常２８ビットであり、４Ｇショート基地局の基地局ＩＤは通常１８ビットであり、４Ｇロング基地局の基地局ＩＤは通常２１ビットである。
【０１７９】
本実施例の一例において、第２の応答送信モジュール１３４が被害者ノード群に送信する応答メッセージには、
１）攻撃者基地局が受信した参照信号の関連情報、例えば、該参照信号を受信した時間周波数位置、周波数オフセット、シーケンス情報等のいくつかのうちの少なくとも１種と、
２）攻撃者基地局の無線時間領域リソース構成、例えば、ＴＤＤシステムの上り・下りサブフレーム構成と、
３）攻撃者基地局のアンテナの情報、例えば、アンテナの方向、高さ等と、
４）攻撃者基地局の大気ダクト干渉を制御するポリシーと、
のうちの１種または複数種の内容が含まれてもよい。
【０１８０】
本実施例に係る応答メッセージ送信装置は、攻撃者基地局が参照信号を傍受することにより、被害者基地局から送信された参照信号を傍受すると、攻撃者ノード群の応答メッセージ送信装置は、参照信号に担持されたアドレスＩＤに基づき、被害者ノード群に応答メッセージを送信することで攻撃者基地局が参照信号を既に傍受した状況を被害者基地局に知らせ、更に攻撃者基地局側と互いに協働して大気ダクト干渉の抑制を実現し、大気ダクト干渉が被害者基地局に長時間の影響を及ぼして被害者基地局の通信品質が良くなくなるという問題を回避する。
【実施例８】
【０１８１】
本実施例は、コアネットワーク要素に配置できる応答メッセージ転送装置を提供し、図１４に示すように、該応答メッセージ転送装置１４０は、応答受信モジュール１４２と、ルーティング確定モジュール１４４と、応答転送モジュール１４６とを備え、ここで、応答受信モジュール１４２は、被害者基地局の参照信号を傍受した攻撃者ノード群から送信された応答情報を受信し、ルーティング確定モジュール１４４は、予め取得した各ノード群のアドレスＩＤと各ノード群のルーティング情報との間のマッピング関係に基づき、被害者ノード群のアドレスＩＤに対応するルーティング情報を確定するために用いられ、応答転送モジュール１４６は、ルーティング情報に基づいて被害者ノード群に応答メッセージを送信するために用いられる。
【０１８２】
応答メッセージ転送装置１４０がコアネットワーク要素に配置されている場合、応答受信モジュール１４２および応答転送モジュール１４６の機能は、コアネットワーク要素の通信装置およびプロセッサにより共通に実現でき、ルーティング確定モジュール１４４の機能は、該コアネットワーク要素のプロセッサにより実現できる。
【０１８３】
まず、応答受信モジュール１４２は、被害者基地局の参照信号を傍受した攻撃者ノード群から送信された応答情報を受信する。
【０１８４】
本実施例において、マッピング関係がコアネットワーク要素に記憶されている場合、攻撃者ノード群は、応答メッセージを送信する時、直接応答メッセージに群ＩＤを担持して該応答メッセージを応答受信モジュール１４２に送信することができる。該コアネットワーク要素は、攻撃者ノード群側のコアネットワーク要素を指すことが理解できる。応答メッセージを送信するのは、攻撃者ノード群の群中心ノードまたは攻撃者基地局を指してもよい。
【０１８５】
その後、ルーティング確定モジュール１４４は、予め取得した各ノード群のアドレスＩＤと各ノード群のルーティング情報との間のマッピング関係に基づき、被害者ノード群のアドレスＩＤに対応するルーティング情報を確定する。
【０１８６】
応答受信モジュール１４２が応答メッセージを受信した後、ルーティング確定モジュール１４４は、予め取得したマッピング関係を照会して該群ＩＤに対応するルーティング情報を確定し、その後、該ルーティング情報に基づいて被害者ノード群に応答メッセージを送信することができ、例えば、アドレスＩＤが群ＩＤである場合、応答転送モジュール１４６は応答メッセージを被害者ノード群に対応する群中心ノードに送信することができる。
【０１８７】
明らかに、このような形態において、攻撃者ノード群側のコアネットワーク要素は、各ノード群の群ＩＤとルーティング情報とのマッピング関係を予め取得する必要があり、少なくとも被害者ノード群の群ＩＤと被害者ノード群のルーティング情報との間のマッピング関係を取得する必要がある。該マッピング関係は、被害者ノード群側のコアネットワーク要素のような他のコアネットワーク要素から取得されたものであってもよいことが理解できる。
【０１８８】
本実施例の一例において、任意のノード群の群中心ノードがコアネットワーク要素である場合、群中心ノードは、該ノード群における各基地局が報告した基地局ＩＤに基づいて本ノード群に対応するルーティング情報を確定することができ、群中心ノードは、本ノード群における任意の基地局のルーティング情報を本ノード群のルーティング情報として選択してもよいし、群中心ノード自体のルーティング情報を本ノード群のルーティング情報としてもよいことが理解できる。その上で、該コアネットワーク要素は本ノード群のアドレスＩＤとルーティング情報との間のマッピング関係を確定することができ、その後、該コアネットワーク要素は、他のコアネットワーク要素とそれぞれが取得したノード群のアドレスＩＤとルーティング情報との間のマッピング関係をインタラクションすることができる。このような方式により、各コアネットワーク要素は相互間のマッピング関係を取得することができる。
【０１８９】
本実施例の別の例において、群中心ノードがコアネットワーク要素ではない場合、群中心ノードは、本ノード群のアドレスＩＤとルーティング情報とのマッピング関係を自分に接続されたコアネットワーク要素に報告し、該コアネットワーク要素で他のコアネットワーク要素とマッピング関係をインタラクションすることで各コアネットワーク要素におけるノード群のマッピング関係を取得する必要がある。
【０１９０】
ルーティング確定モジュール１４４は、予め取得した各ノード群のアドレスＩＤと各ノード群のルーティング情報との間のマッピング関係に基づき、被害者ノード群のアドレスＩＤに対応するルーティング情報を確定した後、応答転送モジュール１４６は、該ルーティング情報に応じて応答メッセージを被害者ノードに転送することができ、コアネットワーク要素における被害者ノード群のアドレスＩＤに対応するのが被害者ノード群におけるある基地局のルーティング情報である可能性があるため、該応答転送モジュール１４６は、該応答メッセージを該基地局に送信した後、該基地局により応答メッセージを受信した状況を群中心ノードに報告する可能性があり、また、コアネットワーク要素における被害者ノード群のアドレスＩＤに対応するのが被害者ノード群の群中心ノードのルーティング情報である可能性があり、このような場合、応答転送モジュール１４６は、ルーティング情報に応じて応答メッセージを被害者ノード群の群中心ノードに送信することができることが理解できる。
【０１９１】
本実施例に係る応答メッセージ転送装置は、各ノード群のアドレスＩＤと各ノード群のルーティング情報とのマッピング関係をコアネットワーク要素に予め記憶することにより、攻撃者基地局が被害者基地局から送信された参照信号を傍受すると、攻撃者ノード群は、コアネットワーク要素を介して被害者基地局に応答メッセージをフィードバックすることができる。
【０１９２】
また、ノード群で応答メッセージの送信を行い、このように、被害者基地局は、参照信号を送信する時、参照信号に群ＩＤを担持するだけでよく、基地局ＩＤに対して群ＩＤはより簡単であり、このように、参照信号におけるアドレスＩＤが占めるビット数を減少することができる。
【実施例９】
【０１９３】
本実施例は、１つまたは複数のプロセッサが読み取ってコンパイルして実行できる１つまたは複数のコンピュータプログラムが記憶できる記憶媒体を更に提供し、本実施例において、該記憶媒体には、少なくとも干渉抑制プログラム、応答メッセージ転送プログラム、第１の応答メッセージ送信プログラム、および第２の応答メッセージ送信プログラムのうちの１つが記憶され、ここで、干渉抑制プログラムは、１つまたは複数のプロセッサにより実行されて前述した実施例に記載された任意の干渉抑制方法を実現することができる。応答メッセージ転送プログラムは、１つまたは複数のプロセッサにより実行されて前述した実施例に記載された任意の応答メッセージ転送方法を実現することができる。第１の応答メッセージ送信プログラムは、１つまたは複数のプロセッサにより実行されて前述した実施例２に記載された応答メッセージ送信方法を実現することができる。第２の応答メッセージ送信プログラムは、１つまたは複数のプロセッサにより実行されて前述した実施例３に記載された任意の応答メッセージ送信方法を実現することができる。
【０１９４】
本実施例は、通信デバイスを更に提供し、図１５に示すように、通信デバイス１５は、プロセッサ１５１と、メモリ１５２と、プロセッサ１５１とメモリ１５２とを接続するための通信バス１５３とを備え、ここで、メモリ１５２は、干渉抑制プログラム、応答メッセージ転送プログラム、第１の応答メッセージ送信プログラム、および第２の応答メッセージ送信プログラムのうちの少なくとも１つが記憶された前述した記憶媒体であってもよい。
【０１９５】
メモリ１５２に干渉抑制プログラムが記憶されている場合、プロセッサ１５１は、干渉抑制プログラムを読み取ってコンパイルして実行し、前述した実施例に記載された干渉抑制方法のステップを実現することができる。該通信デバイス１５は基地局であってもよく、通信デバイス１５が干渉抑制方法を実現する詳細内容は前述した実施例の説明を参照することができ、ここでは説明を省略する。
【０１９６】
メモリ１５２に応答メッセージ転送プログラムが記憶されている場合、プロセッサ１５１は、応答メッセージ転送プログラムを読み取ってコンパイルして実行し、前述した実施例に記載された応答メッセージ転送方法のステップを実現することができる。該通信デバイスはコアネットワーク要素であってもよく、通信デバイス１５が応答メッセージ転送方法を実現する詳細内容は前述した実施例の説明を参照することができ、ここでは説明を省略する。
【０１９７】
メモリ１５２に第１の応答メッセージ送信プログラムが記憶されている場合、プロセッサ１５１は、第１の応答メッセージ送信プログラムを読み取ってコンパイルして実行し、前述した実施例２に記載された応答メッセージ送信方法のステップを実現することができる。該通信デバイス１５は基地局であってもよく、通信デバイス１５が応答メッセージ送信方法を実現する詳細内容は前述した実施例の説明を参照することができ、ここでは説明を省略する。
【０１９８】
メモリ１５２に第２の応答メッセージ送信プログラムが記憶されている場合、プロセッサ１５１は、第２の応答メッセージ送信プログラムを読み取ってコンパイルして実行し、前述した実施例３に記載された応答メッセージ送信方法のステップを実現することができる。該通信デバイスは基地局、コアネットワーク要素またはＣＵデバイス等のような群中心ノードであってもよく、通信デバイス１５が応答メッセージ送信方法を実現する詳細内容は前述した実施例の説明を参照することができ、ここでは説明を省略する。
【０１９９】
本実施例は、通信システムを更に提供し、該通信システムは、互いに通信可能な被害者ノード群および攻撃者ノード群を含み、該被害者ノード群は被害者基地局を含み、該攻撃者ノード群は攻撃者基地局を含み、該被害者基地局は、前述したプロセッサによって干渉抑制プログラムを実行可能な通信デバイスであり、攻撃者基地局は、前述したプロセッサによって第１の応答メッセージ送信プログラムを実行可能な通信デバイスである。該通信システムにおける各デバイスが互いに協働して大気ダクト干渉の抑制を実現することに関連する詳細内容は、前述した実施例の説明を参照し、ここでは説明を省略する。
【０２００】
本発明の実施例に係る通信デバイス、システム、被害者基地局から送信された参照信号にアドレスＩＤが担持され、該アドレスＩＤは本基地局の属するノード群である被害者ノード群のルーティング情報に対応するため、攻撃者基地局が本基地局から送信された参照信号を傍受すると、攻撃者ノード群は、該アドレスＩＤに基づいて被害者ノード群に応答メッセージを送信することができ、被害者ノード群における被害者基地局は応答メッセージに基づき、攻撃者基地局が既に自分が送信した参照信号を受信したことを確定し、ひいては大気ダクト干渉の抑制の他のフローを続けることができる。このような参照信号にアドレスＩＤを担持する方式により、攻撃者ノード側から被害者ノード側へのメッセージの送信が可能となり、関連する大気ダクト干渉の抑制形態における攻撃者基地局側がメッセージを被害者基地局側に送信することで、自分が既に参照信号を傍受したことを被害者基地局に通知できないという問題を解決し、大気ダクト干渉の抑制の実現に寄与する。
【実施例１０】
【０２０１】
前述した実施例に係る干渉抑制形態の利点および詳細内容を当業者により理解させるために、本実施例は、前述した実施例の基に、具体例を参照しながら前述した実施例を説明し続ける。
【０２０２】
例１、ノード群（ＳＥＴ）の確立フロー
ステップ１において、オペレータは、それぞれ基地局、ＤＵデバイス、セルにホームのＳＥＴ  ＩＤを設定する。ネットワーク管理者の設定に基づき、基地局、ＤＵ、セルは、群中心ノードに対応するネットワークアドレス情報、例えば、群中心ノードのＳＣＴＰ（Ｓｔｒｅａｍ  Ｃｏｎｔｒｏｌ  Ｔｒａｎｓｍｉｓｓｉｏｎ  Ｐｒｏｔｏｃｏｌ、ストリーム制御伝送プロトコル）アドレス情報を知ることができる。
【０２０３】
ステップ２において、基地局、ＤＵデバイス、セルは、セルＩＤと群中心ＩＤとの対応関係を群中心ノードに送信する。
【０２０４】
対応関係が担持されたメッセージはインタフェースメッセージに含まれ、いくつかの例において、該インタフェースメッセージには、セルＩＤ、基地局、ＤＵデバイス号、ＩＰアドレス、ＳＥＴ情報が含まれている。該インタフェースは、Ｓ１インタフェース、ＮＧインタフェース、Ｘ２インタフェース、ＸＮインタフェース、Ｆ１インタフェースのいくつかのうちのいずれか１種を含んでもよいが、これらに限定されない。
【０２０５】
ステップ３において、群中心ＩＤはインタフェースで確認メッセージを返す。
例２、被害者ノード群の群中心ノードが干渉源を確認する
ステップ１において、基地局、セルまたはＤＵデバイスは、大気ダクト干渉を発見すると、群中心ノードに干渉状況を報告する。干渉状況は、インタフェース情報を介して群中心ノードに送信されてもよく、本実施例のいくつかの例において、インタフェースで報告されたインタフェース情報に、
１）被害者デバイスの周波数情報と、
２）被害者デバイスの被干渉信号の周波数領域の特徴、例えば、階段型フェージング特徴と、
３）被害者デバイスの被干渉の時間特徴の情報と、
４）被害者デバイスの被干渉アンテナ情報、例えば、アンテナの方向および／または高さと、
が含まれている含む。
【０２０６】
ステップ２において、群中心ノードは群内の干渉情報を処理する。好ましくは、群中心ノードは、各基地局、セル等の被干渉の周波数情報、被干渉信号の周波数領域の特徴等を比較し、ノード群内の全体的な被干渉状況を確定し、干渉抑制ポリシーを確定する。
【０２０７】
１つ、２つの基地局だけが干渉を報告し、且つ干渉信号の周波数領域の特徴が異なる場合、群中心ノードは、基地局の自己調整を主として被干渉基地局の電力、上り時間領域リソース等を調整し、基地局の自己調整により大気ダクト干渉を回避すると決定することができる。群内のほとんどの基地局が干渉を報告し、且つ、例えば、干渉信号の周波数領域の特徴がほぼ一致している場合、群中心ノードは、リモート干渉源を探して干渉の問題を解決することを考慮する必要がある。
【０２０８】
基地局、セル、ＤＵから送信された情報は、群中心ノードが決定を下すことに寄与し、例えば、被干渉アンテナの方向を比較することにより、干渉源の方位を大まかに判断することができる。
【０２０９】
ステップ３において、群中心ノードは、セルレベルで動作するように群内の基地局またはＤＵデバイスに通知する。該通知は、インタフェース情報を介して送信することができ、該インタフェース情報には、
１）本ノード群のＲＳの情報と、
２）ＲＳを送信する必要があるセルの情報と、
３）リソースの自己調整を行う必要があるセルの情報と、
が含まれてもよい。
【０２１０】
例３、攻撃者ノード群の群中心ノードが攻撃者を確認する
ステップ１において、群中心ノードは群内のノード情報を取得する。
【０２１１】
攻撃者ノード群の群中心ノードは、ネットワーク管理者のメッセージ通知を受信すると、群内の基地局またはＤＵデバイスから大気ダクト干渉の傍受状況を取得する。群中心ノードは、インタフェースメッセージを介してメッセージを基地局またはＤＵデバイスに送信し、該メッセージには、傍受を開始する指示が含まれてもよい。
【０２１２】
ステップ２において、基地局またはＤＵは傍受結果を報告する。攻撃者基地局またはＤＵデバイスは、傍受した被害者基地局の参照信号情報を報告する。傍受結果は、インタフェース情報で送信することができ、該インタフェース情報に、
１）攻撃者デバイスが受信したＲＳの情報、例えば、ＲＳを受信した時間周波数位置、オフセット、シーケンス情報等と、
２）攻撃者デバイスの無線時間領域リソース構成、例えば、ＴＤＤシステムの上り・下りサブフレーム構成と、
３）攻撃者デバイスのアンテナの情報、例えば、アンテナの方向および／または高さ等と、
が含まれている。
【０２１３】
ステップ３において、群中心ノードは干渉情報を処理し、好ましくは、群中心ノードは、攻撃者基地局またはＤＵデバイスが取得した参照信号情報を比較し、被害者基地局の方位を判断する。
【０２１４】
例４、攻撃者ノード群が応答メッセージを被害者ノード群にルーティングする第１種の方式
本例において、被害者基地局から送信されたＲＳ信号に群ＩＤが担持され、且つ、攻撃者ノード群がコアネットワークを介して転送する方式を用いて応答メッセージを送信すると仮定する。
【０２１５】
応答メッセージを送信する前に、群ＩＤと被干渉デバイスとのルーティング関係を設定する必要があることが理解できる。群中心ノードが基地局であれば、群ＩＤをコアネットワークに通知する必要があり、コアネットワークは群ＩＤと基地局との関係を記録し、コアネットワーク間で該関係をインタラクションする。このような場合、ＮＧインタフェース（または、Ｓ１インタフェース）に影響を及ぼし、Ｓ１０インタフェースのようなコアネットワーク要素間のインタフェースに影響を及ぼす。群中心ノードがＣＵデバイスであれば、ＣＵデバイスは群ＩＤをコアネットワークに通知する必要があり、コアネットワークは群ＩＤとＣＵデバイスとの関係を記録し、コアネットワーク間で該関係をインタラクションする。このような場合、ＮＧインタフェース（または、Ｓ１インタフェース）およびＦ１インタフェースに影響を及ぼし、Ｓ１０インタフェースのようなコアネットワーク要素間のインタフェースに影響を及ぼす。群中心ノードがコアネットワーク要素であれば、コアネットワーク要素間は群情報をインタラクションする必要があり、このような場合、Ｓ１０インタフェースのようなコアネットワーク要素間のインタフェースに影響を及ぼす。
【０２１６】
ステップ１において、被害者基地局または被害者ノード群の群中心ノードは参照信号を送信し、参照信号には群ＩＤが含まれる。
【０２１７】
他の場合、参照信号には、群ＩＤに対応するページングエリア情報（ＴＡＩ）が担持されてもよい。
【０２１８】
ステップ２において、攻撃者基地局または攻撃者ノード群の群中心ノードは、ネットワークを介してメッセージを被害者基地局に送信する。
【０２１９】
攻撃者基地局は、ターゲット基地局から送信された参照信号を受信した後、攻撃者基地局または攻撃者ノード群の群中心ノードはネットワークを介してメッセージを被害者基地局に送信する。攻撃者基地局または攻撃者ノード群の群中心ノードはメッセージを送信する発信元アドレスに自分のＩＤまたはＩＰアドレスを記入し、宛先アドレスに、群ＩＤを記入する。攻撃者中心ノードがコアネットワーク要素であれば、宛先アドレスにおける群ＩＤに基づいてメッセージをターゲットコアネットワーク要素に伝達する。攻撃者中心ノードが基地局であれば、メッセージを該中心ノードに接続されたコアネットワーク要素に転送してから、ターゲットコアネットワーク要素に転送する。
【０２２０】
ステップ３において、ターゲットコアネットワーク要素は、記憶された群ＩＤとデバイスとの対応関係に基づいてメッセージを被害者ノード群の群中心ノードまたは被害者基地局にルーティングする。
【０２２１】
いくつかの場合、コアネットワーク要素は、トラッキングエリア情報（ＴＡＩ）を利用してターゲットネットワーク要素を更に確定することができる。
【０２２２】
例５、攻撃者ノード群が応答メッセージを被害者ノード群にルーティングする第２種の方式
本例において、被害者基地局から送信されたＲＳ信号に群ＩＤが担持され、且つ、マッピング関係がネットワーク管理者またはＤＮＳサーバに予め記憶されていると仮定する。好ましくは、ネットワーク管理者またはＤＮＳサーバに群ＩＤおよび対応する基地局ＩＤ、トラッキングエリア情報（ＴＡＩ）、およびオペレータ情報（ＰＬＭＮ）を設定することができる。群ＩＤは１０ビット程度の長さの数値であり、基地局ＩＤは２０〜３２ビットの長さの数値であり、ＴＡＩおよびＰＬＭＮはそれぞれ３２ビットの数値である。
【０２２３】
以下、図１６に示すインタラクション図を参照する。
Ｓ１６０１において、被害者基地局は大気ダクト干渉を発見して確定する。
【０２２４】
Ｓ１６０２において、被害者基地局は、エアインタフェースでＲＳを送信する。
参照信号に送信基地局のセルのホーム群ＩＤが担持されている。
【０２２５】
Ｓ１６０３において、攻撃者基地局は、被害者基地局から送信された参照信号を受信した後、ＤＮＳサーバにおけるマッピング関係に基づいてターゲット基地局ＩＤ、ＴＡＩおよびＰＬＭＮ情報に転換する。
【０２２６】
攻撃者基地局は、参照信号を受信した後、その中の群ＩＤを解析し、ネットワーク管理者またはＤＮＳサーバに照会することにより、ターゲット基地局の基地局ＩＤ、ターゲット基地局のＴＡＩ情報、ターゲット基地局のＰＬＭＮ情報が含まれているターゲット基地局の情報を取得することができる。
【０２２７】
Ｓ１６０４において、攻撃者基地局は応答メッセージを第１のコアネットワーク要素に送信する。
【０２２８】
攻撃者基地局は、コアネットワークを介して被害者基地局が参照信号を受信したことを通知する。攻撃者が応答メッセージに記入した宛先アドレスは被害者基地局の基地局ＩＤであり、それと同時に、トラッキングエリア情報、オペレータ情報等を記入する。発信元アドレスに攻撃者基地局の基地局ＩＤ、攻撃者基地局のＴＡＩ情報、攻撃者基地局のＰＬＭＮ情報を記入する。攻撃者基地局が該応答メッセージを記入する目的は、大気ダクト干渉を通知することであることが理解できる。攻撃者基地局は、ｅＮＢ  ＣＯＮＦＩＧＵＲＡＴＩＯＮ  ＴＲＡＮＳＦＥＲ（基地局構成の転移）メッセージのようなＳ１メッセージを多重化して応答メッセージを送信することができる。または、攻撃者基地局は、ＮＧメッセージを多重化して応答メッセージを送信することもできる。
【０２２９】
Ｓ１６０５において、第１のコアネットワーク要素はメッセージを第２のコアネットワーク要素にルーティングする。
【０２３０】
コアネットワーク要素は、メッセージを受信すると、宛先アドレスに基づいてメッセージをターゲットコアネットワーク要素である第２のコアネットワーク要素にルーティングする。攻撃者基地局と被害者基地局との物理的距離が３００ｋｍに達する可能性があるため、転送過程は１つまたは複数のコアネットワークネットワーク要素を通過する必要がある。
【０２３１】
Ｓ１６０６において、第２のコアネットワーク要素は応答メッセージを被害者基地局に送信する。
【０２３２】
被害者基地局は、メッセージを受信して該攻撃者基地局が参照信号を受信したことを確認し、第２のコアネットワーク要素はＳ１メッセージを用いて応答メッセージを被害者基地局に送信することができ、例えば、ＭＭＥ  ＣＯＮＦＩＧＵＲＡＴＩＯＮ  ＴＲＡＮＳＦＥＲ（ＭＭＥ構成の転移）メッセージにより応答メッセージを被害者基地局に送信する。いくつかの場合、ＮＧメッセージを用いて応答メッセージを被害者基地局に送信してもよいことが理解できる。
【０２３３】
例６、攻撃者ノード群が応答メッセージを被害者ノード群にルーティングする第３種の方式
本例において、被害者基地局から送信されたＲＳ信号に群ＩＤが担持され、且つ、攻撃者ノード群が基地局間のインタフェースを介して転送する方式を用いて応答メッセージを送信すると仮定する。
【０２３４】
応答メッセージを送信する前に、群ＩＤと被干渉デバイスとのルーティング関係を設定する必要があることが理解できる。群中心ノードが基地局であれば、群中心ノードと基地局との間は群ＩＤ情報と基地局情報との対応関係を交換する必要があり、このような場合、Ｘ２インタフェース、ＸＮインタフェースに影響を及ぼす。群中心ノードがＣＵデバイスであれば、ＣＵデバイスの間も群ＩＤ情報と基地局情報との対応関係を交換する必要がある。このような場合、Ｘ２インタフェース、ＸＮインタフェース、Ｆ１インタフェースに影響を及ぼす。
【０２３５】
ステップ１において、被害者基地局または被害者ノード群の群中心ノードは参照信号を送信し、参照信号には群ＩＤが含まれる。
【０２３６】
ステップ２において、攻撃者基地局または攻撃者ノード群の群中心ノードは、ネットワークを介してメッセージを被害者基地局に送信する。
【０２３７】
攻撃者基地局は、ターゲット基地局から送信された参照信号を受信した後、攻撃者基地局または攻撃者ノード群の群中心ノードは、ネットワークを介してメッセージを被害者基地局に送信する。攻撃者基地局または攻撃者ノード群の群中心ノードは、メッセージを送信する発信元アドレスに自分のＩＤまたはＩＰアドレスを記入し、宛先アドレスに参照信号に担持された群ＩＤを記入する。
【０２３８】
例７、攻撃者ノード群が応答メッセージを被害者ノード群にルーティングする第４種の方式
本例において、被害者基地局から送信されたＲＳ信号に基地局ＩＤ（または、他の基地局情報）が担持され、且つ、攻撃者ノード群がコアネットワークを介して転送する方式を用いて応答メッセージを送信すると仮定する。
【０２３９】
ステップ１において、被害者基地局または被害者ノード群の群中心ノードは参照信号を送信し、参照信号には基地局ＩＤが含まれる。
【０２４０】
ステップ２において、攻撃者基地局または攻撃者ノード群の群中心ノードは、ネットワークを介してメッセージを被害者基地局に送信する。
【０２４１】
攻撃者基地局は、ターゲット基地局から送信された参照信号を受信した後、攻撃者基地局または攻撃者ノード群の群中心ノードは、ネットワークを介してメッセージを被害者基地局に送信する。
【０２４２】
攻撃者基地局または攻撃者ノード群の群中心ノードは、メッセージを送信する発信元アドレスに自分のＩＤまたはＩＰアドレスを記入し、宛先アドレスにターゲット基地局ＩＤを記入する。
【０２４３】
攻撃者中心ノードが基地局であれば、メッセージを接続されたコアネットワーク要素に転送してから、ターゲットネットワーク要素である被害者ノード群側のコアネットワーク要素に転送する。
【０２４４】
ステップ３において、コアネットワーク要素は、基地局ＩＤとデバイスとの対応関係に基づいてメッセージをターゲットネットワーク要素にルーティングする。
【０２４５】
例８、攻撃者ノード群が応答メッセージを被害者ノード群にルーティングする第５種の方式
本例において、被害者基地局から送信されたＲＳ信号に基地局ＩＤ（または、他の基地局情報）が担持され、且つ、攻撃者ノード群が基地局間のインタフェースを介して転送する方式を用いて応答メッセージを送信すると仮定する。
【０２４６】
ステップ１において、被害者基地局または被害者ノード群の群中心ノードは参照信号を送信し、参照信号には被害者基地局の基地局ＩＤが含まれる。
【０２４７】
ステップ２において、攻撃者基地局または攻撃者ノード群の群中心ノードは、基地局間のインタフェースを介してメッセージを被害者基地局に送信する。
【０２４８】
攻撃者基地局は、ターゲット基地局から送信された参照信号を受信した後、攻撃者基地局または攻撃者ノード群の群中心ノードは、基地局間のインタフェースを介して応答メッセージを被害者基地局に送信する。
【０２４９】
攻撃者基地局または攻撃者ノード群の群中心ノードは、応答メッセージを送信する発信元アドレスに自分のＩＤまたはＩＰアドレスを記入し、宛先アドレスに被害者基地局ＩＤを記入する。
【０２５０】
応答メッセージは、Ｘ２インタフェース、ＸＮインタフェースを介してターゲットネットワーク要素に転送される。
【０２５１】
例９、攻撃者ノード群が応答メッセージを被害者ノード群にルーティングする第６種の方式
ステップ１において、被害者基地局または被害者ノード群の群中心ノードは参照信号を送信し、参照信号にはコアネットワークＩＤが含まれる。
【０２５２】
ステップ２において、攻撃者基地局または攻撃者ノード群の群中心ノードは、ネットワークを介してメッセージを被害者基地局に送信する。
【０２５３】
攻撃者基地局は、被害者基地局から送信された参照信号を受信した後、攻撃者基地局または攻撃者ノード群の群中心ノードは、ネットワークを介してメッセージを被害者基地局に送信する。攻撃者基地局または攻撃者ノード群の群中心ノードは、メッセージを送信する発信元アドレスに自分のＩＤまたはＩＰアドレスを記入し、宛先アドレスにターゲットコアネットワークＩＤである参照信号に担持されたコアネットワークＩＤを記入する。
【０２５４】
ステップ３において、攻撃者ノード群側のコアネットワーク要素は、宛先アドレスに基づいてメッセージをターゲットコアネットワーク要素にルーティングする。
【０２５５】
ターゲットコアネットワーク要素は、応答メッセージを受信した後、予め設定された情報に基づいてメッセージを適当な基地局にルーティングする。
【０２５６】
本発明の各実施例に係る状態確定方法、状態指示方法、装置、端末および基地局、並びに記憶媒体は、５Ｇ通信システムに適用できるだけでなく、将来の任意の通信システムにも適用できることが当業者には明らかである。
【０２５７】
本発明において、各実施例における技術的特徴は、矛盾しない限り、１つの実施例に組み合わせることができる。
【０２５８】
明らかに、当業者であれば、上記に開示された方法における全てまたは一部のステップ、システム、装置における機能モジュール／ユニットは、ソフトウェア（計算装置実行可能プログラムコードで実現できる）、ファームウェア、ハードウェアおよびその適当な組み合わせとして実施できることが理解され得る。ハードウェアの実施形態において、上記説明に言及された機能モジュール／ユニットの間での区分は、必ずしも物理コンポーネントの区分に対応するとは限らない。例えば、１つの物理コンポーネントは複数の機能を有してもよいし、または１つの機能もしくはステップは、複数の物理コンポーネントにより協働して実行されてもよい。いくつかの物理コンポーネントまたは全ての物理コンポーネントは、中央プロセッサ、デジタル信号プロセッサまたはマイクロプロセッサのようなプロセッサにより実行されるソフトウェアとして実施されてもよいし、ハードウェアとして実施されてもよいし、特定用途向け集積回路のような集積回路として実施されてもよい。このようなソフトウェアはコンピュータ可読媒体に分布されて計算装置により実行することができ、且つ、ある場合、ここでの順序と異なる順序で示されたまたは説明されたステップを実行してもよく、コンピュータ可読媒体は、コンピュータ記憶媒体（または非一時的媒体）および通信媒体（または一時的媒体）を含んでもよい。当業者に周知のように、コンピュータ記憶媒体という用語は、情報（例えば、コンピュータ可読命令、データ構造、プログラムモジュールまたは他のデータ）を記憶するための複数種の方法または技術で実施される揮発性および不揮発性、取り外し可能および取り外し不可な媒体を含む。コンピュータ記憶媒体は、ランダムアクセスメモリ（Ｒａｎｄｏｍ  Ａｃｃｅｓｓ  Ｍｅｍｏｒｙ、ＲＡＭ）、読み出し専用メモリ（Ｒｅａｄ−Ｏｎｌｙ  Ｍｅｍｏｒｙ、ＲＯＭ）、電気的消去可能な読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、フラッシュメモリまたは他のメモリ技術、コンパクトディスク読み出し専用ディスク（Ｃｏｍｐａｃｔ  Ｄｉｓｃ  Ｒｅａｄ−Ｏｎｌｙ  Ｍｅｍｏｒｙ、ＣＤ−ＲＯＭ）、デジタル多機能ディスク（Ｄｉｇｉｔａｌ  Ｖｉｄｅｏ  Ｄｉｓｋ、ＤＶＤ）または他の光ディスクメモリ、磁気カートリッジ、磁気テープ、磁気ディスクメモリまたは他の磁気記憶装置、あるいは、所望の情報を記憶するために用いられてコンピュータによりアクセス可能な任意の他の媒体を含んでもよいが、これらに限定されない。また、当業者に周知のように、通信媒体は、通常、コンピュータ可読命令、データ構造、プログラムモジュール、またはキャリアもしくは他の伝送メカニズムのような変調データ信号内の他データを含み、且つ、任意の情報伝達媒体を含んでもよい。従って、本発明は、特定のハードウェアとソフトウェアとの組み合わせに限定されない。
【図１】
2022501940.tif 000003
【図２】
2022501940.tif 000004
【図３】
2022501940.tif 000005
【図４】
2022501940.tif 000006
【図５】
2022501940.tif 000007
【図６】
2022501940.tif 000008
【図７】
2022501940.tif 000009
【図８】
2022501940.tif 000010
【図９】
2022501940.tif 000011
【図１０】
2022501940.tif 000012
【図１１】
2022501940.tif 000013
【図１２】
2022501940.tif 000014
【図１３】
2022501940.tif 000015
【図１４】
2022501940.tif 000016
【図１５】
2022501940.tif 000017
【図１６】
2022501940.tif 000018
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
参照信号を傍受し、参照信号に、被害者ノード群のルーティング情報に対応するアドレスＩＤが担持され、前記被害者ノード群に被害者基地局が含まれていることと、
前記被害者基地局から送信された参照信号を傍受すると、前記参照信号に担持されたアドレスＩＤに基づき、攻撃者基地局が前記被害者基地局から送信された前記参照信号を傍受したことを表すための応答メッセージを前記被害者ノード群に送信することと、を含み、
前記アドレスＩＤに前記被害者ノード群の群ＩＤが含まれ、
前記参照信号に担持されたアドレスＩＤに基づき、前記被害者ノード群に応答メッセージを送信する方式は、
ネットワーク管理者またはサーバに照会し、前記群ＩＤに対応する被害者基地局の、前記被害者基地局の基地局ＩＤ、前記被害者基地局のトラッキングエリア情報ＴＡＩ、前記被害者基地局の公衆陸上移動網ＰＬＭＮ情報が含まれているルーティング情報を取得し、前記被害者基地局のルーティング情報に基づいて前記被害者基地局に応答メッセージを送信する方式である方式１を含む、
応答メッセージ送信方法。
【請求項２】
前記参照信号に担持されたアドレスＩＤに基づき、前記被害者ノード群に応答メッセージを送信することは、
前記参照信号に担持されたアドレスＩＤに基づき、コアネットワークを介して前記被害者ノード群に応答メッセージを送信すること、または、
前記参照信号に担持されたアドレスＩＤに基づき、基地局間の通信インタフェースを利用して前記被害者ノード群に応答メッセージを送信すること、を含む、
請求項１に記載の方法。
【請求項３】
前記参照信号に担持されたアドレスＩＤに基づき、前記被害者ノード群に応答メッセージを送信する方式は、
コアネットワーク要素によって、予め取得した複数のノード群のアドレスＩＤと前記複数のノード群のルーティング情報との間のマッピング関係に基づいて前記被害者ノード群のルーティング情報を確定するように、前記群ＩＤが担持された応答情報を前記コアネットワーク要素に送信し、確定したルーティング情報に基づいて前記被害者ノード群に前記応答メッセージを送信する方式である方式２、をさらに含む、
請求項１または２に記載の方法。
【請求項４】
前記アドレスＩＤに前記被害者基地局の基地局ＩＤが含まれ、
前記参照信号に担持されたアドレスＩＤに基づき、前記被害者ノード群に応答メッセージを送信することは、
前記基地局ＩＤに基づいて前記被害者ノード群における被害者基地局に応答メッセージを送信することを含む、
請求項１または２に記載の方法。
【請求項５】
アドレスＩＤが担持された参照信号を送信し、前記アドレスＩＤが被害者ノード群のルーティング情報に対応し、前記被害者ノード群に被害者基地局が含まれていることと、
攻撃者ノード群から送信された応答メッセージに基づき、前記攻撃者ノード群に属する攻撃者基地局が前記参照信号を受信したことを確定することと、
前記攻撃者基地局と協働して大気ダクト干渉の抑制を行うことと、を含む、
干渉抑制方法。
【請求項６】
前記アドレスＩＤに前記被害者ノード群の群ＩＤが含まれ、
攻撃者ノード群から送信された応答メッセージに基づき、攻撃者基地局が前記参照信号を受信したことを確定することは、
前記被害者ノード群の群中心ノードが前記攻撃者ノード群から送信された応答メッセージに基づいて送信した受信通知を受信することと、
前記受信通知に基づいて前記攻撃者基地局が前記参照信号を受信したことを確定することと、を含む、
請求項５に記載の方法。
【請求項７】
前記参照信号に、
アドレスタイプと、
前記被害者基地局のネットワークプロトコルＩＰアドレスと、
被干渉セルのセルＩＤと、
被干渉セルのトラッキングエリア情報ＴＡＩと、
前記被害者基地局のＴＡＩと、
前記被害者基地局の属するノード群のＴＡＩと、
被干渉セルの所属オペレータネットワークと、
前記被害者基地局の所属オペレータネットワークと、
前記被害者基地局の属するノード群の所属オペレータネットワークと、のうちの少なくとも１つが更に含まれている、
請求項５に記載の方法。
【請求項８】
攻撃者ノード群の群中心ノードにおける基地局による参照信号の傍受結果を取得し、前記参照信号に、被害者ノード群のルーティング情報に対応するアドレスＩＤが担持され、前記被害者ノード群に被害者基地局が含まれ、前記攻撃者ノード群に攻撃者基地局が含まれていることと、
前記攻撃者基地局が傍受した参照信号に担持されたアドレスＩＤに基づき、前記攻撃者基地局が前記参照信号を傍受したことを前記被害者基地局に指示するための応答メッセージを前記被害者ノード群に送信することと、を含む、
応答メッセージ送信方法。
【請求項９】
前記攻撃者基地局が傍受した参照信号に担持されたアドレスＩＤに基づき、前記被害者ノード群に応答メッセージを送信することは、
前記アドレスＩＤに基づき、コアネットワークを介して前記被害者ノード群に応答メッセージを送信すること、または、
前記アドレスＩＤに基づき、基地局間の通信インタフェースを利用して前記被害者ノード群に応答メッセージを送信すること、を含む、
請求項８に記載の方法。
【請求項１０】
前記アドレスＩＤに前記被害者ノード群の群ＩＤが含まれ、
前記攻撃者基地局が傍受した参照信号に担持されたアドレスＩＤに基づき、前記被害者ノード群に応答メッセージを送信する方式は、
ネットワーク管理デバイスまたはサーバに照会し、前記群ＩＤに対応する被害者基地局の、前記被害者基地局の基地局ＩＤ、前記被害者基地局のトラッキングエリア情報ＴＡＩ、前記被害者基地局の公衆陸上移動網ＰＬＭＮ情報が含まれているルーティング情報を取得し、前記被害者基地局のルーティング情報に基づいて前記被害者基地局に応答メッセージを送信する方式である方式１と、
コアネットワーク要素によって、予め取得した複数のノード群のアドレスＩＤと前記複数のノード群のルーティング情報との間のマッピング関係に基づいて前記被害者ノード群のルーティング情報を確定するように、前記群ＩＤが担持された応答情報を前記コアネットワーク要素に送信し、確定したルーティング情報に基づいて前記被害者ノード群に前記応答メッセージを送信する方式である方式２と、の少なくとも１種を含む、
請求項８または９に記載の方法。
【請求項１１】
前記アドレスＩＤに前記被害者基地局の基地局ＩＤが含まれ、
前記攻撃者基地局が傍受した参照信号に担持されたアドレスＩＤに基づき、前記被害者ノード群に応答メッセージを送信することは、
前記基地局ＩＤに基づいて前記被害者ノード群における前記被害者基地局に応答メッセージを送信することを含む、
請求項８または９に記載の方法。
【請求項１２】
前記被害者ノード群の群中心ノードがコアネットワーク要素である場合、前記アドレスＩＤに前記被害者基地局のコアネットワークＩＤが含まれ、前記攻撃者基地局が傍受した参照信号に担持されたアドレスＩＤに基づき、前記被害者ノード群に応答メッセージを送信することは、
前記コアネットワークＩＤに基づいて前記被害者ノード群の群中心ノードに応答メッセージを送信することを含む、
請求項８または９に記載の方法。
【請求項１３】
プロセッサ（１５１）と、メモリ（１５２）と、通信バス（１５３）とを備え、
前記通信バス（１５３）は、前記プロセッサ（１５１）と前記メモリ（１５２）との間の接続通信を実現するように構成され、
前記プロセッサ（１５１）は、前記メモリ（１５２）に記憶された干渉抑制プログラムを実行することにより、請求項５〜７のいずれか１項に記載の方法を実現するように構成され、または、前記プロセッサ（１５１）は、前記メモリ（１５２）に記憶された第１の応答メッセージ送信プログラムを実行することにより、請求項１〜４のいずれか１項に記載の方法を実現するように構成され、または、前記プロセッサ（１５１）は、前記メモリ（１５２）に記憶された第２の応答メッセージ送信プログラムを実行することにより、請求項８〜１２のいずれか１項に記載の方法を実現するように構成される、通信デバイス。
【請求項１４】
互いに通信可能な被害者ノード群および攻撃者ノード群を備え、前記被害者ノード群に被害者基地局が含まれ、前記攻撃者ノード群に攻撃者基地局が含まれ、前記被害者基地局は、第１のメモリと第１のプロセッサとを備え、前記第１のメモリは、干渉抑制プログラムを記憶するように構成され、前記第１のプロセッサは、前記干渉抑制プログラムを実行することにより、請求項５〜７のいずれか１項に記載の方法を実現するように構成され、前記攻撃者基地局は、第２のメモリと第２のプロセッサとを備え、前記第２のメモリは、第１の応答メッセージ送信プログラムを記憶するように構成され、前記第２のプロセッサは、前記第１の応答メッセージ送信プログラムを実行することにより、請求項１〜４のいずれか１項に記載の方法を実現するように構成される、通信システム。
【国際調査報告】
2022501940.tif 000019
2022501940.tif 000020
2022501940.tif 000021
2022501940.tif 000022